(57)【要約】  本発明は、移動ウェブ（３）、特に紙または板紙のウェブを、巻取りコア（６）へ移送するための方法に関する。本発明は、少なくとも１つの初期切断ピース（１１、１１．１）をウェブ（３）と巻取りローラ（２）との間に挿入することを、挿入される初期切断ピース（１１、１１．１）の領域（１１．２）がウェブ（３）によって覆われないように行なうことを特徴とする。初期切断ピースが、巻取りローラ（２）と新しい巻取りコア（６）とによって形成されるニップ（Ｎ２）に到達したらすぐに、前記初期切断ピース（１１、１１．１）を新しい巻取りコア（６）に、覆われていない領域（１１．２）において少なくとも一時的に接続する。ウェブ（３）の切断が、遅くともウェブ（３）が新しい巻取りコア（６）を離れる点（Ｑ）において、初期切断ピース（１１、１１．１）によって引き起こされおよび／または可能となる。その結果、初期切断ピース（１１、１１．１）と新しい巻取りコア（６）とに接合されたウェブの新しい開始部分が形成される。また本発明は、本発明による方法を実施するための巻取り機（１）に関する。
2005511453.tif 000002
【特許請求の範囲】
【請求項１】
移動ウェブ（３ａ）、特に紙または板紙ウェブを、新しいコア（６ａ）へ移送する方法であって、
少なくとも１つの初期切断ピース（１１ａ、１１．１ａ）を、ウェブ（３ａ）と巻取りロール（２ａ）との間に導入することを、導入される初期切断ピース（１１ａ、１１．１ａ）の領域（１１．２ａ）がウェブ（３ａ）によって覆われないように行ない、
巻取りロール（２ａ）と新しいコア（６ａ）とによって形成されるニップ（Ｎ２ａ）に到達した後に、初期切断ピース（１１ａ、１１．１ａ）を新しいコア（６ａ）に少なくとも一時的に、覆われていない領域（１１．２ａ）において接続し、
遅くともウェブ（３ａ）が新しいコア（６ａ）を離れる点（Ｑａ）において、初期切断ピース（１１ａ、１１．１ａ）によるウェブ（３ａ）の切断を行ないおよび／または可能にし、その結果、初期切断ピース（１１ａ、１１．１ａ）と新しいコア（６ａ）とに接合された新しいウェブ開始部分を形成することを特徴とする、方法。
【請求項２】
少なくとも１つの初期切断ピース（１１ａ、１１．１ａ）を、ウェブ（３ａ）の少なくともエッジ領域（８ａ、８．１ａ）に導入することを特徴とする、請求項１に記載の方法。
【請求項３】
遅くとも巻取りロール（２ａ）と新しいコア（６ａ）とによって形成されるニップ（Ｎ２ａ）に到達したときに、初期切断ピース（１１ａ、１１．１ａ）と新しいコア（６ａ）との間の少なくとも一時的な十分強い接続を初期切断ピース（１１ａ、１１．１ａ）によって形成する手段が、ウェブ（３ａ）によって覆われない領域（１１．２ａ）に設けられた初期切断ピース（１１ａ、１１．１ａ）を用いることを特徴とする請求項１または２に記載の方法。
【請求項４】
この手段を用いて、新しいコア（６ａ）に対する粘着接続、加硫接続、タッチ・アンド・クローズ接続、吸引スタッド接続、形状フィッティング接続、摩擦フィッティング接続、もしくは溶接接続、または磁気的もしくは静電的な接続を形成することを特徴とする、請求項３に記載の方法。
【請求項５】
ウェブ（３ａ）と初期切断ピース（１１ａ、１１．１ａ）との間または新しいウェブ開始部分と初期切断ピース（１１ａ、１１．１ａ）との間の少なくとも一時的な接続を形成するために、ウェブ（３ａ）によって覆われる領域（１１．３ａ）に少なくとも１つの粘着領域（１７ａ）を有する初期切断ピース（１１ａ、１１．１ａ）を用いることを特徴とする前記請求項のいずれか一項に記載の方法。
【請求項６】
厚み（Ｄａ）が０．５ｍｍ〜０．０５ｍｍの範囲、好ましくは０．２５ｍｍ〜０．１ｍｍの範囲にある初期切断ピース（１１ａ、１１．１ａ）を用いることを特徴とする前記請求項のいずれか一項に記載の方法。
【請求項７】
プラスチック、金属、織物材料、引き裂き耐性のある繊維状材料、特に紙、または少なくとも１種の材料組み合わせからなる成形品として形成される初期切断ピース（１１ａ、１１．１ａ）を用いることを特徴とする前記請求項のいずれか一項に記載の方法。
【請求項８】
初期切断ピース（１１ａ、１１．１ａ）が、キャリア（１６ａ）の好ましくは容易に脱着可能な部分として形成されることを特徴とする前記請求項のいずれか一項に記載の方法。
【請求項９】
ウェブ（３ａ）と巻取りロール（２）との間に導入する前に、初期切断ピース（１１ａ、１１．１ａ）を、少なくとも１つのキャリア（１６ａ）に、比較的容易に脱着可能な接続部を用いて取り付けることを特徴とする請求項１〜７のいずれか一項に記載の方法。
【請求項１０】
ニップ（Ｎ２ａ）を離れた後に、少なくとも１つのキャリア（１６ａ）を、新しいウェブ開始部分とも新しいコア（６ａ）とも一緒に運ばないことを特徴とする請求項８または９に記載の方法。
【請求項１１】
初期切断ピース（１１ａ、１１．１ａ）に、ウェブ（３ａ）を打ち抜き、切断し、穿孔し、またはエンボスする手段（１３．１ａ）を設け、この手段によって、遅くともウェブ（３ａ）が新しいコア（６ａ）を離れる点（Ｑａ）においてウェブ（３ａ）を弱めまたは切断さえして、新しいウェブ開始部分が好ましくは規定された仕方で形成されるようにすることを特徴とする、前記請求項のいずれか一項に記載の方法。
【請求項１２】
初期切断ピース（１１ａ、１１．１ａ）をウェブ（３ａ）と巻取りロール（２ａ）との間に、少なくとも１つの供給装置（１２ａ）を用いて、実質的に直接導入することを特徴とする、前記請求項のいずれか一項に記載の方法。
【請求項１３】
巻取りロール（２ａ）の周囲にウェブ（３ａ）が巻き付いていない場合に、初期切断ピース（１１ａ、１１．１ａ）をニップ（Ｎ２ａ）内に、少なくとも１つの供給装置（１２ａ）を用いて、実質的に直接導入することを特徴とする、請求項１２に記載の方法。
【請求項１４】
初期切断ピース（１１ａ、１１．１ａ）を、ウェブ（３ａ）と巻取りロール（２ａ）との間に、少なくとも１つの供給装置（１２．１ａ、１２．２ａ）を用いて、間接的に導入することを特徴とする、請求項１〜１１のいずれか一項に記載の方法。
【請求項１５】
初期切断ピース（１１ａ、１１．１ａ）を、最初にウェブ（３ａ）の下側に当てて、次にウェブ（３ａ）と巻取りロール（２ａ）との間にウェブ（３ａ）によって導入することを特徴とする、請求項１４に記載の方法。
【請求項１６】
接続が一時的である場合に、初期切断ピース（１１ａ、１１．１ａ）を、最初に巻取りロール（２ａ）の周囲表面（４ａ）に当てて、次にウェブ（３ａ）と巻取りロール（２ａ）との間に巻取りロール（２ａ）によって導入することを特徴とする、請求項１４に記載の方法。
【請求項１７】
一時的な接続を、少なくとも１つの粘着領域によって、静電気力によって、磁力によって、巻取りロール（２ａ）に真空を付与することによって、タッチ・アンド・クローズ留め具によって、または少なくとも１つの吸引スタッド結合によって形成することを特徴とする、請求項１６に記載の方法。
【請求項１８】
初期切断ピース（１１ａ、１１．１ａ）が、ウェブ（３ａ）を切断しおよび／または新しいコア（６ａ）へ移送するための、ウェブ（３ａ）の走行方向（Ｌａ）で見たときの最後の装置および／または最後の要素を形成することを特徴とする、前記請求項のいずれか一項に記載の方法。
【請求項１９】
新しいコア（６ａ）に移送されるウェブ開始部分の幅を、切断装置（９、９．１ａ）によって、ウェブ（３ａ）全体が新しいコア（６ａ）に移送されるように拡げることを特徴とする前記請求項のいずれか一項に記載の方法。
【請求項２０】
少なくとも１つの初期切断ピース（１１ａ、１１．１ａ）をウェブ（３ａ）と巻取りロール（２ａ）との間に導入するための少なくとも１つの供給装置（１２ａ）が、初期切断ピース（１１ａ、１１．１ａ）をウェブ（３ａ）と巻取りロール（２ａ）との間に実質的に直接導入できるように、配置されることを特徴とする前記請求項の少なくとも一項に記載の方法を実施するための巻取り機（１ａ）。
【請求項２１】
少なくとも１つの初期切断ピース（１１ａ、１１．１ａ）をウェブ（３ａ）と巻取りロール（２ａ）との間に導入するための少なくとも１つの供給装置（１２．１ａ、１２．２ａ）が、初期切断ピース（１１ａ、１１．１ａ）をウェブ（３ａ）と巻取りロール（２）との間に間接的に導入できるように、配置されることを特徴とする前記請求項１〜１９の少なくとも一項に記載の方法を実施するための巻取り機（１ａ）。
【請求項２２】
初期切断ピース（１１ａ、１１．１ａ）を最初にウェブ（３ａ）の下側に当てて、次にウェブ（３ａ）と巻取りロール（２ａ）との間にウェブ（３ａ）によって導入できるように、供給装置（１２．１ａ）が配置されることを特徴とする請求項２１に記載の巻取り機（１ａ）。
【請求項２３】
少なくとも接続が一時的である場合に、初期切断ピース（１１ａ、１１．１ａ）を巻取りロール（２ａ）の周囲表面（４ａ）に当てて、次にウェブ（３ａ）と巻取りロール（２ａ）との間に巻取りロール（２ａ）によって導入できるように、供給装置（１２．２ａ）が配置されることを特徴とする請求項２１に記載の巻取り機（１ａ）。
【請求項２４】
遅くともウェブ（３ａ）が新しいコア（６ａ）を離れる点（Ｑａ）において、ウェブ（３ａ）の少なくとも一部が、初期切断ピース（１１ａ、１１．１ａ）によって実質的に完全に切断されることを特徴とする請求項２０〜２３のいずれか一項に記載の巻取り機（１ａ）。
【請求項２５】
遅くともウェブ（３ａ）が新しいコア（６ａ）を離れる点（Ｑａ）において、ウェブ（３）の少なくとも一部が、初期切断ピース（１１ａ、１１．１ａ）によって予め規定される切断外形（１３ａ、１３．１ａ）に沿って実質的に完全に切断されることを特徴とする請求項２４に記載の巻取り機（１ａ）。
【請求項２６】
初期切断ピース（１１ａ、１１．１ａ）が、少なくとも１つの粘着領域（１５ａ）を、ウェブ（３ａ）によって覆われない領域（１１．２ａ）に有することを特徴とする、請求項２０〜２５のいずれか一項に記載の巻取り機（１ａ）。
【請求項２７】
初期切断ピース（１１ａ、１１．１ａ）が、少なくとも１つの粘着領域（１７ａ）を、ウェブ（３ａ）によって覆われる領域（１１．３ａ）に有することを特徴とする、請求項２０〜２６のいずれか一項に記載の巻取り機（１ａ）。
【請求項２８】
初期切断ピース（１１ａ、１１．１ａ）が、少なくとも１つ切断外形（１３ａ、１３．１ａ）を、ウェブ（３ａ）によって覆われる領域（１１．３ａ）に有することを特徴とする、請求項２０〜２７のいずれか一項に記載の巻取り機（１ａ）。
【請求項２９】
切断外形（１３ａ、１３．１ａ）が、ウェブ（３ａ）の走行方向（Ｌａ）にも、走行方向（Ｌａ）と直角な方向にも形成されないことを特徴とする請求項２８に記載の巻取り機（１ａ）。
【請求項３０】
初期切断ピース（１１ａ、１１．１ａ）は、厚み（Ｄａ）が０．５ｍｍ〜０．０５ｍｍの範囲、好ましくは０．２５ｍｍ〜０．１ｍｍの範囲にあることを特徴とする前記請求項２０〜２９のいずれか一項に記載の巻取り機（１ａ）。
【請求項３１】
初期切断ピース（１１ａ、１１．１ａ）が、プラスチック、金属、織物材料、引き裂き耐性のある繊維状材料、特に紙、または少なくとも１種の材料組み合わせからなる成形品として形成されることを特徴とする請求項２０〜３０のいずれか一項に記載の巻取り機（１ａ）。
【請求項３２】
初期切断ピース（１１ａ、１１．１ａ）が、キャリア（１６ａ）の一部として形成されることを特徴とする前記請求項２０〜３１のいずれか一項に記載の巻取り機（１ａ）。
【請求項３３】
ウェブ（３ａ）と巻取りロール（２）との間に導入される前に、初期切断ピース（１１ａ、１１．１ａ）が、少なくとも１つのキャリア（１６ａ）に、比較的容易に脱着可能な接続部を用いて取り付けられることを特徴とする前記請求項２０〜３２のいずれか一項に記載の巻取り機（１ａ）。
【請求項３４】
切断装置（９ａ、９．１ａ）が、巻取りロール（２ａ）の領域に配置されることを特徴とする前記請求項２０〜３３のいずれか一項に記載の巻取り機（１ａ）。
【請求項３５】
ウェブ（３ａ）の走行方向（Ｌａ）において、切断装置（９ａ、９．１ａ）が、巻取りロール（２ａ）の上流側での自由走行経路の領域に配置されることを特徴とする前記請求項２０〜３３のいずれか一項に記載の巻取り機（１ａ）。
【請求項３６】
ウェブ（３ａ）の走行方向（Ｌ）において、巻取りロール（２ａ）の上流側に載置される少なくとも１つのロールにウェブ（３ａ）が接触する領域に、切断装置（９ａ、９．１ａ）が配置されることを特徴とする前記請求項２０〜３３のいずれか一項に記載の巻取り機（１ａ）。
【請求項３７】
切断装置（９ａ、９．１ａ）が、ウェブ（３ａ）の表側に配置されることを特徴とする前記請求項２０〜３６のいずれか一項に記載の巻取り機（１ａ）。
【請求項３８】
切断装置（９ａ、９．１ａ）が、ウェブ（３ａ）の裏側に配置されることを特徴とする前記請求項２０〜３６のいずれか一項に記載の巻取り機（１ａ）。
【請求項３９】
設置される切断要素（９ａ、９．１ａ）が、高出力密度のジェットまたはビームを有する切断要素、特にウォータ・ジェットまたはレーザ・ビーム切断要素であることを特徴とする前記請求項２０〜３８のいずれか一項に記載の巻取り機（１ａ）。
【請求項４０】
１つの切断装置（９ａ）のみが設けられ、この切断装置（９ａ）は、ウェブ（３ａ）のエッジ（８ａ）に対して配置することができることを特徴とする前記請求項２０〜３９のいずれか一項に記載の巻取り機（１ａ）。
【請求項４１】
切断装置（９ａ）は好ましくは、反対側のウェブ・エッジ（８．１ａ）まで移動可能であることを特徴とする請求項４０に記載の巻取り機（１ａ）。
【請求項４２】
２つの切断装置（９ａ、９．１ａ）が設けられ、これらは２つのウェブ・エッジ（８ａ、８．１ａ）に対して配置することができることを特徴とする前記請求項２０〜３９のいずれか一項に記載の巻取り機（１ａ）。
【請求項４３】
２つの切断装置（９ａ、９．１ａ）は好ましくは、ウェブの中央まで移動可能であることを特徴とする請求項４２に記載の巻取り機（１ａ）。
【請求項４４】
初期切断ピース（１１ａ、１１．１ａ）が、ウェブ（３ａ）を切断しおよび／または新しいコア（６ａ）へ移送するための、ウェブ（３ａ）の走行方向（Ｌａ）で見たときの最後の装置および／または最後の要素を形成することを特徴とする、前記請求項２０〜４３のいずれか一項に記載の巻取り機（１ａ）。
【請求項４５】
移動ウェブ（３ｂ）、特に紙または板紙ウェブを、新しいコア（６ｂ）へ移送する方法であって、
少なくとも１つの開口部（１７ｂ）、特にスリットまたは導入範囲（１７．１ｂ）をウェブ（３ｂ）の領域に、好ましくは第１の切断装置（９．１ｂ）によって形成し、
開口部（１７ｂ）の領域において、少なくとも１つの初期切断ピース（１１ｂ）を、ウェブ（３ｂ）と巻取りロール（２ｂ）との間に導入することを、導入される初期切断ピース（１１ｂ）の領域（１１．１ｂ）がウェブ（３ｂ）によって覆われないように行ない、
巻取りロール（２ｂ）と新しいコア（６ｂ）とによって形成されるニップ（Ｎ２ｂ）に到達した後に、初期切断ピース（１１ｂ）を新しいコア（６ｂ）に少なくとも一時的に、覆われていない領域（１１．１ｂ）において接続し、
遅くともウェブ（３ｂ）が新しいコア（６ｂ）を離れる点（Ｑｂ）において、初期切断ピース（１１ｂ）によるウェブ（３ｂ）の切断を行ないおよび／または可能にし、その結果、初期切断ピース（１１ｂ）と新しいコア（６ｂ）とに接合された少なくとも２つの新しいウェブ開始部分を形成することを特徴とする、方法。
【請求項４６】
ウェブ（３ｂ）の領域での導入範囲（１７．１ｂ）を好ましくは、第１の切断装置（９．１ｂ）を用いて少なくとも１つの除去ストリップ（１８ｂ）を形成することによって形成することを特徴とする、請求項４５に記載の方法。
【請求項４７】
導入範囲（１７．１ｂ）を、ウェブ（３ｂ）の中央（Ｍｂ）に形成することを特徴とする、請求項４５または４６に記載の方法。
【請求項４８】
少なくとも１つの導入範囲（１７．１ｂ）を、２つのエッジ領域（８．１ｂ）の間に位置するウェブ（３ｂ）の中央領域に形成することを特徴とする、請求項４５または４６に記載の方法。
【請求項４９】
少なくとも１つの導入範囲（１７．１ｂ）、好ましくは２つの導入範囲（１７．１ｂ）を、ウェブ（３ｂ）の２つのエッジ領域（８．１ｂ）に形成することを特徴とする、請求項４５または４６に記載の方法。
【請求項５０】
ストリップ幅（Ｂｓｂ）が１０ｍｍ〜２５０ｍｍ、特に２５ｍｍ〜１００ｍｍの範囲である少なくとも１つの除去ストリップ（１８ｂ）を、第１の切断装置（９．１ｂ）によって形成することを特徴とする、前記請求項４５〜４９のいずれか一項に記載の方法。
【請求項５１】
除去ストリップ（１８ｂ）を、形成直後に、０．０１ｂａｒ〜０．２ｂａｒ、好ましくは０．０５ｂａｒ〜０．１ｂａｒの真空度を有する少なくとも１つの除去装置（１９ｂ）によって除去することを特徴とする、前記請求項４５〜５０のいずれか一項に記載の方法。
【請求項５２】
遅くとも巻取りロール（２ｂ）と新しいコア（６ｂ）とによって形成されるニップ（Ｎ２ｂ）に初期切断ピース（１１ｂ）が到達したときに初期切断ピース（１１ｂ）と新しいコア（６ｂ）との間の少なくとも一時的な十分強い接続を形成する手段（１５ｂ）が、ウェブ（３ｂ）によって覆われない領域（１１．１ｂ）に設けられた初期切断ピース（１１ｂ）を用いることを特徴とする前記請求項４５〜５１のいずれか一項に記載の方法。
【請求項５３】
この手段（１５ｂ）を用いて、新しいコア（６ｂ）に対する粘着接続、加硫接続、タッチ・アンド・クローズ接続、吸引スタッド接続、形状フィッティング接続、摩擦フィッティング接続、もしくは溶接接続、または磁気的もしくは静電的な接続を形成することを特徴とする、請求項５２に記載の方法。
【請求項５４】
ウェブ（３ｂ）と初期切断ピース（１１ｂ）との間または新しいウェブ開始部分と初期切断ピース（１１ｂ）との間の少なくとも一時的な接続を形成するために、ウェブ（３ｂ）によって覆われる領域に少なくとも１つの粘着領域を有する初期切断ピース（１１ｂ）を用いることを特徴とする前記請求項４５〜５３のいずれか一項に記載の方法。
【請求項５５】
厚み（Ｄｂ）が０．５ｍｍ〜０．０５ｍｍの範囲、好ましくは０．２５ｍｍ〜０．１ｍｍの範囲にある初期切断ピース（１１ｂ）を用いることを特徴とする前記請求項４５〜５４のいずれか一項に記載の方法。
【請求項５６】
プラスチック、金属、織物材料、引き裂き耐性のある繊維状材料、特に紙、または少なくとも１種の材料組み合わせからなる成形品として形成される初期切断ピース（１１ｂ）を用いることを特徴とする前記請求項４５〜５５のいずれか一項に記載の方法。
【請求項５７】
初期切断ピース（１１ｂ）が、キャリア（１６ｂ）の好ましくは容易に脱着可能な部分として形成されることを特徴とする前記請求項４５〜５６のいずれか一項に記載の方法。
【請求項５８】
ウェブ（３ｂ）と巻取りロール（２ｂ）との間に導入する前に、初期切断ピース（１１ｂ）を、少なくとも１つのキャリア（１６ｂ）に、比較的容易に脱着可能な接続部を用いて取り付けることを特徴とする請求項４５〜５６のいずれか一項に記載の方法。
【請求項５９】
ニップ（Ｎ２ｂ）を離れた後に、少なくとも１つのキャリア（１６ｂ）を、新しいウェブ開始部分とも新しいコア（６ｂ）とも一緒に運ばないことを特徴とする請求項５７または５８に記載の方法。
【請求項６０】
初期切断ピース（１１ｂ）に、ウェブ（３ｂ）を打ち抜き、切断し、穿孔し、またはエンボスする手段（１３．１ｂ）を設け、この手段によって、遅くともウェブ（３ｂ）が新しいコア（６ｂ）を離れる点（Ｑｂ）においてウェブ（３ｂ）を弱めまたは切断さえして、２つの新しいウェブ開始部分が好ましくは規定された仕方で形成されるようにすることを特徴とする、前記請求項４５〜５９のいずれか一項に記載の方法。
【請求項６１】
初期切断ピース（１１ｂ）をウェブ（３ｂ）と巻取りロール（２ｂ）との間に、少なくとも１つの供給装置（１２ｂ）を用いて、実質的に直接導入することを特徴とする、前記請求項４５〜６０のいずれか一項に記載の方法。
【請求項６２】
巻取りロール（２ｂ）の周囲にウェブ（３ｂ）が巻き付いていない場合に、初期切断ピース（１１ｂ）をニップ（Ｎ２ｂ）内に、少なくとも１つの供給装置（１２ｂ）を用いて、実質的に直接導入することを特徴とする、請求項６１に記載の方法。
【請求項６３】
初期切断ピース（１１ｂ）を、ウェブ（３ｂ）と巻取りロール（２ｂ）との間に、少なくとも１つの供給装置（１２．１ｂ、１２．２ｂ）を用いて、間接的に導入することを特徴とする、請求項４５〜６０のいずれか一項に記載の方法。
【請求項６４】
初期切断ピース（１１ｂ）を、最初にウェブ（３ｂ）の下側に取り付けて、次にウェブ（３ｂ）と巻取りロール（２ｂ）との間にウェブ（３ｂ）によって導入することを特徴とする、請求項６３に記載の方法。
【請求項６５】
接続が一時的である場合に、初期切断ピース（１１ｂ）を、最初に巻取りロール（２ｂ）の周囲表面（４ｂ）に取り付けて、次にウェブ（３ｂ）と巻取りロール（２ｂ）との間に巻取りロール（２ｂ）によって導入することを特徴とする、請求項６３に記載の方法。
【請求項６６】
一時的な接続を、少なくとも１つの粘着領域によって、静電気力によって、磁力によって、巻取りロール（２ｂ）に真空を付与することによって、タッチ・アンド・クローズ留め具によって、または少なくとも１つの吸引スタッド結合によって形成することを特徴とする、請求項６５に記載の方法。
【請求項６７】
新しいコア（６ｂ）に移送されるウェブ開始部分の幅を、第２の切断装置（９．２ｂ）によって、ウェブ（３ｂ）全体が新しいコア（６ｂ）に移送されるように拡げることを特徴とする前記請求項４５〜６６のいずれか一項に記載の方法。
【請求項６８】
第２の切断装置（９．２ｂ）を、ウェブ（３ｂ）に対して、ウェブ（３ｂ）とほぼ平行な平面内で移動させることを特徴とする請求項６７に記載の方法。
【請求項６９】
第２の切断装置（９．２ｂ）を、少なくともウェブ（３ｂ）の走行方向（Ｌｂ）に実質的に垂直に、好ましくは斜めの切断線（９．２１ｂ）が形成されるように、移動させることを特徴とする請求項６７または６８に記載の方法。
【請求項７０】
遅くともウェブ（３ｂ）が新しいコア（６ｂ）を離れる点（Ｑｂ）において、ウェブ（３ｂ）の少なくとも一部を、初期切断ピース（１１ｂ）により実質的に完全に切断することを特徴とする、前記請求項４５〜６９のいずれか一項に記載の方法。
【請求項７１】
遅くともウェブ（３ｂ）が新しいコア（６ｂ）を離れる点（Ｑｂ）において、ウェブ（３ｂ）の少なくとも一部を、初期切断ピース（１１ｂ）によって予め規定される切断外形（１３ｂ）に沿って実質的に完全に切断することを特徴とする、前記請求項４５〜７０のいずれか一項に記載の方法。
【請求項７２】
初期切断ピース（１１ｂ）が、ウェブ（３ｂ）を切断しおよび／またはウェブ（３ｂ）を新しいコア（６ｂ）へ移送するための、ウェブ（３ｂ）の走行方向（Ｌｂ）で見たときの最後の装置および／または最後の要素を形成することを特徴とする、前記請求項４５〜７１のいずれか一項に記載の方法。
【請求項７３】
少なくとも１つの開口部（１７ｂ）、特にスリットまたは導入範囲（１７．１ｂ）を形成するための第１の切断装置（９．１ｂ）が、ウェブ（３ｂ）の領域に配置され、
少なくとも１つの初期切断ピース（１１ｂ）をウェブ（３ｂ）と巻取りロール（２ｂ）との間に導入するための少なくとも１つの供給装置（１２ｂ）が、初期切断ピース（１１ｂ）をウェブ（３ｂ）と巻取りロール（２ｂ）との間に実質的に直接導入できるように、配置されることを特徴とする前記請求項４５〜７２の少なくとも一項に記載の方法を実施するための巻取り機（１ｂ）。
【請求項７４】
少なくとも１つの開口部（１７ｂ）、特にスリットまたは導入範囲（１７．１ｂ）を形成するための第１の切断装置（９．１ｂ）が、ウェブ（３ｂ）の領域に配置され、
少なくとも１つの初期切断ピース（１１ｂ）をウェブ（３ｂ）と巻取りロール（２ｂ）との間に導入するための少なくとも１つの供給装置（１２．１ｂ、１２．２ｂ）が、初期切断ピース（１１ｂ）をウェブ（３ｂ）と巻取りロール（２ｂ）との間に間接的に導入できるように、配置されることを特徴とする前記請求項４５〜７２の少なくとも一項に記載の方法を実施するための巻取り機（１ｂ）。
【請求項７５】
初期切断ピース（１１ｂ）を最初にウェブ（３ｂ）の下側に当てて、次にウェブ（３ｂ）と巻取りロール（２ｂ）との間にウェブ（３ｂ）によって導入できるように、供給装置（１２．１ｂ）が配置されることを特徴とする請求項７４に記載の巻取り機（１ｂ）。
【請求項７６】
接続が一時的である場合に、初期切断ピース（１１ｂ）を最初に巻取りロール（２ｂ）の周囲表面（４ｂ）に当てて、次にウェブ（３ｂ）と巻取りロール（２ｂ）との間に巻取りロール（２ｂ）によって導入できるように、供給装置（１２．２ｂ）が配置されることを特徴とする請求項７４に記載の巻取り機（１ｂ）。
【請求項７７】
初期切断ピース（１１ｂ）が、少なくとも１つの粘着領域（１４ｂ）を、ウェブ（３ｂ）によって覆われない領域（１１．１ｂ）に有することを特徴とする、請求項７３〜７６のいずれか一項に記載の巻取り機（１ｂ）。
【請求項７８】
初期切断ピース（１１ｂ）が、少なくとも１つの粘着領域を、ウェブ（３ｂ）によって覆われる領域に有することを特徴とする、請求項７３〜７７のいずれか一項に記載の巻取り機（１ｂ）。
【請求項７９】
初期切断ピース（１１ｂ）が、少なくとも１つの切断外形（１３ｂ）を、ウェブ（３ｂ）によって覆われる領域に有することを特徴とする、請求項７３〜７８のいずれか一項に記載の巻取り機（１ｂ）。
【請求項８０】
切断外形（１３ｂ）が、ウェブ（３ｂ）の走行方向（Ｌｂ）にも、走行方向（Ｌｂ）と直角な方向にも形成されないことを特徴とする請求項７９に記載の巻取り機（１ｂ）。
【請求項８１】
初期切断ピース（１１ｂ）は、厚み（Ｄｂ）が０．５ｍｍ〜０．０５ｍｍの範囲、好ましくは０．２５ｍｍ〜０．１ｍｍの範囲にあることを特徴とする前記請求項７３〜８０のいずれか一項に記載の巻取り機（１ｂ）。
【請求項８２】
初期切断ピース（１１ｂ）が、プラスチック、金属、織物材料、引き裂き耐性のある繊維状材料、特に紙、または少なくとも１種の材料組み合わせからなる成形品として形成されることを特徴とする請求項７３〜８１のいずれか一項に記載の巻取り機（１ｂ）。
【請求項８３】
初期切断ピース（１１ｂ）が、キャリア（１６ｂ）の一部として形成されることを特徴とする前記請求項７３〜８２のいずれか一項に記載の巻取り機（１ｂ）。
【請求項８４】
ウェブ（３ｂ）と巻取りロール（２ｂ）との間に導入される前に、初期切断ピース（１１ｂ）が、少なくとも１つのキャリア（１６ｂ）に、比較的容易に脱着可能な接続部を用いて取り付けられることを特徴とする前記請求項７３〜８３のいずれか一項に記載の巻取り機（１ｂ）。
【請求項８５】
第１および／または第２の切断装置（９．１ｂ、９．２ｂ）が、巻取りロール（２ａ）の領域に配置されることを特徴とする前記請求項７３〜８４のいずれか一項に記載の巻取り機（１ｂ）。
【請求項８６】
ウェブ（３ｂ）の走行方向（Ｌｂ）において、第１および／または第２の切断装置（９．１ｂ、９．２ｂ）が、巻取りロール（２ｂ）上流側での自由走行経路の領域に配置されることを特徴とする前記請求項７３〜８４のいずれか一項に記載の巻取り機（１ｂ）。
【請求項８７】
ウェブ（３ｂ）の走行方向（Ｌｂ）において、巻取りロール（２ｂ）の上流側に載置される少なくとも１つのロールにウェブ（３ｂ）が接触する領域に、第１および／または第２の切断装置（９．１ｂ、９．２ｂ）が配置されることを特徴とする前記請求項７３〜８４のいずれか一項に記載の巻取り機（１ｂ）。
【請求項８８】
第１および／または第２の切断装置（９．１ｂ、９．２ｂ）が、ウェブ（３ｂ）の表側に配置されることを特徴とする前記請求項７３〜８７のいずれか一項に記載の巻取り機（１ｂ）。
【請求項８９】
第１および／または第２の切断装置（９．１ｂ、９．２ｂ）が、ウェブ（３ｂ）の裏側に配置されることを特徴とする前記請求項７３〜８７のいずれか一項に記載の巻取り機（１ｂ）。
【請求項９０】
第１および／または第２の切断装置（９．１ｂ、９．２ｂ）が、好ましくは共通のコンポーネントを有する共通のサブアセンブリ内に配置されることを特徴とする前記請求項７３〜８９のいずれか一項に記載の巻取り機（１ｂ）。
【請求項９１】
第２の切断装置（９．２ｂ）が、ウェブ開始部分の構成部分ではない分離すべきウェブ（３ｂ）の領域に配置されることを特徴とする前記請求項７３〜９０のいずれか一項に記載の巻取り機（１ｂ）。
【請求項９２】
設置される切断装置（９．１ｂ、９．２ｂ）が、少なくとも２つの、好ましくは互いに独立した、それぞれ高出力密度の個々のジェットまたはビームを有する切断要素、特にウォータ・ジェットまたはレーザ・ビーム切断要素であることを特徴とする前記請求項７３〜９１のいずれか一項に記載の巻取り機（１ｂ）。
【請求項９３】
初期切断ピース（１１ｂ）が、ウェブ（３ｂ）を切断しおよび／またはウェブ（３ｂ）を新しいコア（６ｂ）へ移送するための、ウェブ（３ｂ）の走行方向（Ｌｂ）で見たときの最後の装置および／または最後の要素を形成することを特徴とする、前記請求項７３〜９２のいずれか一項に記載の巻取り機（１ｂ）。
【請求項９４】
好ましくは巻取りロール（２ｃ）のサブ領域上を走行しているウェブ（３ｃ）、特に紙または板紙ウェブを、巻取りロール（２ｃ）とともにニップ（Ｎ２ｃ）を形成する新しいコア（６ｃ）、特に空スプールへ移送し、少なくとも１つの移送ストリップ（１０ｃ、１０．１ｃ）が好ましくは、ウェブ（３ｃ）の少なくとも１つのエッジ領域（８ｃ、８．１ｃ）に、ウェブ（３ｃ）の走行方向でのニップ（Ｎ２ｃ）の上流側に配置される少なくとも１つの切断装置（９ｃ、９．１ｃ）、好ましくは横断切断装置によって形成される方法であって、
少なくとも１つの初期切断ピース（１１ｃ、１１．１ｃ）を、少なくとも１つの移送ストリップ（１０ｃ、１０．１ｃ）と巻取りロール（２ｃ）との間に、少なくとも１つの供給装置（１２ｃ、１２．１ｃ、１２．２ｃ）によって直接または間接的に導入することを、導入される初期切断ピース（１１ｃ、１１．１ｃ）の領域（１１．２ｃ）が移送ストリップ（１０ｃ、１０．１ｃ）によって覆われないように行ない、
巻取りロール（２ｃ）と新しいコア（６ｃ）とによって形成されるニップ（Ｎ２ｃ）に到達した後に、初期切断ピース（１１ｃ、１１．１ｃ）を新しいコア（６ｃ）に少なくとも一時的に、覆われていない領域（１１．２ｃ）において接続し、
遅くともウェブ（３ｃ）が新しいコア（６ｃ）を離れる点（Ｑｃ）において、少なくとも初期切断ピース（１１ｃ、１１．１ｃ）による移送ストリップ（１０ｃ、１０．１ｃ）の切断を行ないおよび／または可能にし、その結果、初期切断ピース（１１ｃ、１１．１ｃ）と新しいコア（６ｃ）とに接合された新しいウェブ開始部分を形成することを特徴とする、方法。
【請求項９５】
１つの移送ストリップ（１０ｃ、１０．１ｃ）が、ウェブ（３ｃ）の２つのエッジ領域（８ｃ、８．１ｃ）のそれぞれに形成されることを特徴とする請求項９４に記載の方法。
【請求項９６】
遅くとも巻取りロール（２ｃ）と新しいコア（６ｃ）とによって形成されるニップ（Ｎ２）に初期切断ピース（１１ｃ、１１．１ｃ）が到達したときに、初期切断ピース（１１ｃ、１１．１ｃ）と新しいコア（６ｃ）との間の少なくとも一時的な十分強い接続を形成する手段が、ウェブ（３ｃ）の移送ストリップ（１０ｃ、１０．１ｃ）によって覆われない領域（１１．２ｃ）に設けられた初期切断ピース（１１ｃ、１１．１ｃ）を用いることを特徴とする請求項９４または９５に記載の方法。
【請求項９７】
この手段を用いて、新しいコア（６ｃ）に対する粘着接続、加硫接続、タッチ・アンド・クローズ接続、吸引スタッド接続、形状フィッティング接続、摩擦フィッティング接続、もしくは溶接接続、または磁気的もしくは静電的な接続を形成することを特徴とする、請求項９６に記載の方法。
【請求項９８】
移送ストリップ（１０ｃ、１０．１ｃ）と初期切断ピース（１１ｃ、１１．１ｃ）との間または新しいウェブ開始部分と初期切断ピース（１１ｃ、１１．１ｃ）との間の少なくとも一時的な接続を形成するために、移送ストリップ（１０ｃ、１０．１ｃ）によって覆われる領域（１１．３ｃ）に少なくとも１つの粘着領域（１７ｃ）を有する初期切断ピース（１１ｃ、１１．１ｃ）を用いることを特徴とする前記請求項９４〜９７のいずれか一項に記載の方法。
【請求項９９】
厚み（Ｄｃ）が０．５ｍｍ〜０．０５ｍｍの範囲、好ましくは０．２５ｍｍ〜０．１ｍｍの範囲にある初期切断ピース（１１ｃ、１１．１ｃ）を用いることを特徴とする前記請求項９４〜９８のいずれか一項に記載の方法。
【請求項１００】
プラスチック、金属、織物材料、引き裂き耐性のある繊維状材料、特に紙、または少なくとも１種の材料組み合わせからなる成形品として形成される初期切断ピース（１１ｃ、１１．１ｃ）を用いることを特徴とする前記請求項９４〜９９のいずれか一項に記載の方法。
【請求項１０１】
初期切断ピース（１１ｃ、１１．１ｃ）が、キャリア（１６ｃ）の好ましくは容易に脱着可能な部分として形成されることを特徴とする前記請求項９４〜１００のいずれか一項に記載の方法。
【請求項１０２】
移送ストリップ（１０ｃ、１０．１ｃ）と巻取りロール（２ｃ）との間に導入する前に、初期切断ピース（１１ｃ、１１．１ｃ）を、少なくとも１つのキャリア（１６ｃ）に、比較的容易に脱着可能な接続部を用いて取り付けることを特徴とする請求項９４〜１００のいずれか一項に記載の方法。
【請求項１０３】
ニップ（Ｎ２ｃ）を離れた後に、少なくとも１つのキャリア（１６ｃ）を、新しいウェブ開始部分とも新しいコア（６ｃ）とも一緒に運ばないことを特徴とする請求項１０１または１０２に記載の方法。
【請求項１０４】
初期切断ピース（１１ｃ、１１．１ｃ）に、ウェブ（３ｃ）を打ち抜き、切断し、穿孔し、またはエンボスする手段（１３．１ｃ）を設け、この手段によって、少なくともウェブ（３ｃ）が新しいコア（６ｃ）を離れる点（Ｑｃ）において移送ストリップ（１０ｃ、１０．１ｃ）を弱めまたは切断さえして、新しいウェブ開始部分が好ましくは規定された仕方で形成されるようにすることを特徴とする、前記請求項９４〜１０３のいずれか一項に記載の方法。
【請求項１０５】
初期切断ピース（１１ｃ、１１．１ｃ）を移送ストリップ（１０ｃ、１０．１ｃ）と巻取りロール（２ｃ）との間に、少なくとも１つの供給装置（１２ｃ）を用いて、実質的に直接導入することを特徴とする、前記請求項９４〜１０４のいずれか一項に記載の方法。
【請求項１０６】
巻取りロール（２ｃ）の周囲にウェブ（３ｃ）が巻き付いていない場合に、初期切断ピース（１１ｃ、１１．１ｃ）をニップ（Ｎ２ｃ）内に、少なくとも１つの供給装置（１２ｃ）を用いて、実質的に直接導入することを特徴とする、請求項１０５に記載の方法。
【請求項１０７】
初期切断ピース（１１ｃ、１１．１ｃ）を、移送ストリップ（１０ｃ、１０．１ｃ）と巻取りロール（２ｃ）との間に、少なくとも１つの供給装置（１２ｃ、１２．１ｃ、１２．２ｃ）を用いて、間接的に導入することを特徴とする、前記請求項９４〜１０４のいずれか一項に記載の方法。
【請求項１０８】
初期切断ピース（１１ｃ、１１．１ｃ）を、最初に移送ストリップ（１０ｃ、１０．１ｃ）の下側にまたは移送ストリップ（１０ｃ、１０．１ｃ）が形成されるウェブ（３ｃ）の領域に取り付けて、次に移送ストリップ（１０ｃ、１０．１ｃ）と巻取りロール（２ｃ）との間に移送ストリップ（１０ｃ、１０．１ｃ）によって導入することを特徴とする、請求項１０７に記載の方法。
【請求項１０９】
接続が一時的である場合に、初期切断ピース（１１ｃ、１１．１ｃ）を、最初に巻取りロール（２ｃ）の周囲表面（４ｃ）に当てて、次に移送ストリップ（１０ｃ、１０．１ｃ）と巻取りロール（２ｃ）との間に巻取りロール（２ｃ）によって導入することを特徴とする、請求項１０７に記載の方法。
【請求項１１０】
一時的な接続を、少なくとも１つの粘着領域によって、静電気力によって、磁力によって、巻取りロール（２ｃ）に真空を付与することによって、タッチ・アンド・クローズ留め具によって、または少なくとも１つの吸引スタッド結合によって形成することを特徴とする、請求項１０９に記載の方法。
【請求項１１１】
初期切断ピース（１１ｃ、１１．１ｃ）が、移送ストリップ（１０ｃ、１０．１ｃ）を切断しおよび／または移送ストリップ（１０ｃ、１０．１ｃ）を新しいコア（６ｃ）へ移送するための、ウェブ（３）の走行方向（Ｌｃ）で見たときの最後の装置および／または最後の要素を形成することを特徴とする、前記請求項９４〜１１０のいずれか一項に記載の方法。
【請求項１１２】
新しいコア（６ｃ）に移送されるウェブ開始部分の幅を、切断装置（９ｃ、９．１ｃ）によって、ウェブ（３ｂ）全体が新しいコア（６ｃ）に移送されるように拡げることを特徴とする前記請求項９４〜１１１のいずれか一項に記載の方法。
【請求項１１３】
少なくとも１つの初期切断ピース（１１ｃ、１１．１ｃ）を少なくとも１つの移送ストリップ（１０ｃ、１０．１ｃ）と巻取りロール（２ｃ）との間に導入するための少なくとも１つの供給装置（１２ｃ）が、初期切断ピース（１１ｃ、１１．１ｃ）を移送ストリップ（１０ｃ、１０．１ｃ）と巻取りロール（２ｃ）との間に実質的に直接導入できるように、配置されることを特徴とする前記請求項９４〜１１２の少なくとも一項に記載の方法を実施するための巻取り機（１ｃ）。
【請求項１１４】
少なくとも１つの初期切断ピース（１１ｃ、１１．１ｃ）を移送ストリップ（１０ｃ、１０．１ｃ）と巻取りロール（２ｃ）との間に導入するための少なくとも１つの供給装置（１２．１ｃ、１２．２ｃ）が、初期切断ピース（１１ｃ、１１．１ｃ）を移送ストリップ（１０ｃ、１０．１ｃ）と巻取りロール（２ｃ）との間に間接的に導入できるように、配置されることを特徴とする前記請求項９４〜１１１の少なくとも一項に記載の方法を実施するための巻取り機（１ｃ）。
【請求項１１５】
初期切断ピース（１１ｃ、１１．１ｃ）を最初に移送ストリップ（１０ｃ、１０．１ｃ）の下側にまたは移送ストリップ（１０ｃ、１０．１ｃ）が形成されるウェブ（３ｃ）の領域に当てて、次に移送ストリップ（１０ｃ、１０．１ｃ）と巻取りロール（２ｃ）との間に移送ストリップ（１０ｃ、１０．１ｃ）によって導入できるように、供給装置（１２．１ｃ）が配置されることを特徴とすることを特徴とする、請求項１１４に記載の巻取り機（１ｃ）。
【請求項１１６】
接続が一時的である場合に、初期切断ピース（１１ｃ、１１．１ｃ）を最初に巻取りロール（２ｃ）の周囲表面（４ｃ）に当てて、次に移送ストリップ（１０ｃ、１０．１ｃ）と巻取りロール（２ｃ）との間に巻取りロール（２ｃ）によって導入できるように、供給装置（１２．２ｃ）が配置されることを特徴とする請求項１１４に記載の巻取り機（１ｃ）。
【請求項１１７】
遅くともウェブ（３ｃ）が新しいコア（６ｃ）を離れる点（Ｑｃ）において、移送ストリップ（１０ｃ、１０．１ｃ）が、初期切断ピース（１１ｃ、１１．１ｃ）によって実質的に完全に切断されることを特徴とする請求項１１３〜１１６のいずれか一項に記載の巻取り機（１ｃ）。
【請求項１１８】
遅くともウェブ（３ｃ）が新しいコア（６ｃ）を離れる点（Ｑｃ）において、移送ストリップ（１０ｃ、１０．１ｃ）が、初期切断ピース（１１ｃ、１１．１ｃ）によって予め規定される切断外形（１３ｃ、１３．１ｃ）に沿って実質的に完全に切断されることを特徴とする請求項１１７に記載の巻取り機（１ｃ）。
【請求項１１９】
初期切断ピース（１１ｃ、１１．１ｃ）が、少なくとも１つの粘着領域（１５ｃ）を、ウェブ（３ｃ）の移送ストリップ（１０ｃ、１０．１ｃ）によって覆われない領域（１１．２ｃ）に有することを特徴とする、請求項１１３〜１１８のいずれか一項に記載の巻取り機（１ｃ）。
【請求項１２０】
初期切断ピース（１１ｃ、１１．１ｃ）が、少なくとも１つの粘着領域（１７ｃ）を、ウェブ（３ｃ）の移送ストリップ（１０ｃ、１０．１ｃ）によって覆われる領域（１１．３ｃ）に有することを特徴とする、前記請求項１１３〜１１９のいずれか一項に記載の巻取り機（１ｃ）。
【請求項１２１】
初期切断ピース（１１ｃ、１１．１ｃ）が、少なくとも１つ切断外形（１３ｃ、１３．１ｃ）を、ウェブ（３ｃ）の移送ストリップ（１０ｃ、１０．１ｃ）によって覆われる領域（１１．３ｃ）に有することを特徴とする、前記請求項１１３〜１２０のいずれか一項に記載の巻取り機（１ｃ）。
【請求項１２２】
切断外形（１３ｃ、１３．１ｃ）が、ウェブ（３ｃ）の走行方向（Ｌｃ）にも、走行方向（Ｌｃ）と直角な方向にも形成されないことを特徴とする請求項１２１に記載の巻取り機（１ｃ）。
【請求項１２３】
初期切断ピース（１１ｃ、１１．１ｃ）は、厚み（Ｄｂ）が０．５ｍｍ〜０．０５ｍｍの範囲、好ましくは０．２５ｍｍ〜０．１ｍｍの範囲にあることを特徴とする前記請求項１１３〜１２２のいずれか一項に記載の巻取り機（１ｃ）。
【請求項１２４】
初期切断ピース（１１ｃ、１１．１ｃ）が、プラスチック、金属、織物材料、引き裂き耐性のある繊維状材料、特に紙、または少なくとも１種の材料組み合わせからなる成形品として形成されることを特徴とする請求項１１３〜１２３のいずれか一項に記載の巻取り機（１ｃ）。
【請求項１２５】
初期切断ピース（１１ｃ、１１．１ｃ）が、キャリア（１６ｃ）の一部として形成されることを特徴とする前記請求項１１３〜１２４のいずれか一項に記載の巻取り機（１ｃ）。
【請求項１２６】
移送ストリップ（１０ｃ、１０．１ｃ）と巻取りロール（２ｃ）との間に導入される前に、初期切断ピース（１１ｃ、１１．１ｃ）が、少なくとも１つのキャリア（１６ｃ）に、比較的容易に脱着可能な接続部を用いて取り付けられることを特徴とする前記請求項１１３〜１２５いずれか一項に記載の巻取り機（１ｃ）。
【請求項１２７】
切断装置（９ｃ、９．１ｃ）が、巻取りロール（２ｃ）の領域に配置されることを特徴とする前記請求項１１３〜１２６のいずれか一項に記載の巻取り機（１ｃ）。
【請求項１２８】
切断装置（９ｃ、９．１ｃ）が、ウェブ（３ｃ）の走行方向（Ｌｃ）での巻取りロール（２ｃ）の上流側において、自由走行経路の領域に配置されることを特徴とする前記請求項１１３〜１２６のいずれか一項に記載の巻取り機（１ｃ）。
【請求項１２９】
切断装置（９ｃ、９．１ｃ）が、ウェブ（３ｃ）の走行方向（Ｌｃ）において、巻取りロール（２ｃ）の上流側に載置される少なくとも１つのロールにウェブ（３ｃ）が接触する領域に配置されることを特徴とする前記請求項１１３〜１２６のいずれか一項に記載の巻取り機（１ｃ）。
【請求項１３０】
切断装置（９ｃ、９．１ｃ）が、ウェブ（３ｃ）の表側に配置されることを特徴とする前記請求項１１３〜１２９のいずれか一項に記載の巻取り機（１ｃ）。
【請求項１３１】
切断装置（９ｃ、９．１ｃ）が、ウェブ（３ｃ）の裏側に配置されることを特徴とする前記請求項１１３〜１２９のいずれか一項に記載の巻取り機（１ｃ）。
【請求項１３２】
設置される切断装置（９ｃ、９．１ｃ）が、高出力密度のジェットまたはビームを有する切断要素、特にウォータ・ジェットまたはレーザ・ビーム切断要素であることを特徴とする前記請求項１１３〜１３１のいずれか一項に記載の巻取り機（１ｃ）。
【請求項１３３】
１つの切断装置（９ｃ）のみが設けられ、この切断装置（９ｃ）は、移送ストリップ（１０ｃ）をウェブ・エッジ（８ｃ）から離して形成するように、ウェブ・エッジ（８ｃ）の領域で進めることができることを特徴とする前記請求項１１３〜１３２のいずれか一項に記載の巻取り機（１ｃ）。
【請求項１３４】
切断装置（９ｃ）は好ましくは、反対側のウェブ・エッジ（８．１）まで移動可能であることを特徴とする請求項１３３に記載の巻取り機（１ｃ）。
【請求項１３５】
２つの切断装置（９ｃ、９．１ｃ）が設けられ、これらは、個々の移送ストリップ（１０ｃ、１０．１ｃ）をそれぞれのウェブ・エッジ（８ｃ、８．１Ｃ）から離れて形成するように、２つのウェブ・エッジ（８ｃ、８．１Ｃ）の領域で進めることができることを特徴とする前記請求項１１３〜１３２のいずれか一項に記載の巻取り機（１ｃ）。
【請求項１３６】
２つの切断装置（９ｃ、９．１ｃ）は好ましくは、ウェブの中央まで移動可能であることを特徴とする請求項１３５に記載の巻取り機（１ｃ）。
【請求項１３７】
初期切断ピース（１１ｃ、１１．１ｃ）が、移送ストリップ（１０ｃ、１０．１ｃ）を切断しおよび／または移送ストリップ（１０ｃ、１０．１ｃ）を新しいコア（６ｃ）へ移送するための、ウェブ（３ｃ）の走行方向（Ｌｃ）で見たときの最後の装置および／または最後の要素を形成することを特徴とする、前記請求項１１３〜１３６のいずれか一項に記載の巻取り機（１ｃ）。
【発明の詳細な説明】
【技術分野】
【０００１】
本発明は、第１および第２の態様によれば、好ましくは巻取りロールのサブ領域上を走行しているウェブ、特に紙または板紙ウェブを、新しいコアへ移送するための方法に関する。
【背景技術】
【０００２】
本発明は、第３の態様によれば、好ましくは巻取りロールのサブ領域上を走行しているウェブ、特に紙または板紙ウェブを、巻取りロールとともにニップを形成する新しいコア、特に空スプールへ移送し、少なくとも１つの横断ストリップを好ましくは、ウェブの少なくとも１つのエッジ領域に、ウェブの走行方向でのニップ上流側に配置される少なくとも１つの切断装置、好ましくは横断切断装置によって形成する方法に関する。本発明はさらに、このような方法を、少なくとも１つの切断装置、好ましくは横断切断装置によって実現するための設備に関する。
【０００３】
本発明はさらに、このような方法を実現するための個々の巻取り機に関する。
【０００４】
このようなウェブを移送する方法はたとえば、紙または板紙の製造装置、コーティング装置、スリッタ・リワインダまたは同等の装置の巻取り領域において、ウェブを複数の空コア（空スプールとも言われる）上に、製造プロセスを中断することなくすなわち紙または板紙装置を停止することなく、次々に巻き取るために、またはウェブを好ましくは空コア上に、散発的にすなわち紙もしくは板紙の破損に続いてまたは紙もしくは板紙装置を始動した後に、巻取るために適用される。
【０００５】
製造プロセスでは、ウェブの切断によって形成されるウェブ開始部分を新しいコアに供給して、新しい巻リールを新しいコア上に形成することが、確実に行なわれなければならない。
【０００６】
特許文献１では、スプールを交換する方法として、巻取りロールに連続的に供給されるウェブを、巻取りロールと接触している新しいスプール（空スプール）に移送する方法が開示されている。
【０００７】
この場合、ウェブの中央部分（移送ストリップとして知られる）を、ウェブの走行方向での巻取りロール上流に位置する点で、２つの切断設備によって切断する。移送ストリップの表側すなわち空スプールに面する側に、粘着剤供給設備によって粘着媒体を与えて、移送ストリップを空スプールの表面にはりつける。移送作業は、２つの切断装置を個々のウェブ・エッジの方向に動かすことによって、終了する。
【０００８】
したがってこの方法では、粘着媒体に、遅くともニップを離れるときに移送ストリップを完全かつ確実に引き裂く能力があることが前提となっている。
【０００９】
残念ながら、実際にこのような前提が確認されるのは、非常にまれな場合のみである。このことは、前述した明細書の発明者らも認めており、移送ストリップを分割する（ウェブを切断線の間で切断する）ために、別個のストリップ分割装置が提案されている。すなわちこの実施形態では、特許文献２にすでに開示された方法が最大限用いられ、粘着媒体を移送ストリップの表側に与えることによって拡張されている。
【００１０】
この方法では、製造費用およびおびただしい数のコンポーネントおよびサブアセンブリが、不利な点である。加えて、個々の方法ステップの時間的な同期および再現性が、紙ウェブを移送する際の不確定要素を構成している。さらにこの方法は、引き裂き強度の高い紙ウェブ、たとえばプラスチック・ウェブおよび板紙の移送には全く適していない。
【００１１】
粘着剤を用いて移送ストリップの切断と空スプールへの移送とを同時に行なうことは、特許文献３に開示される方法においても、重要視されている。すでに開示された両面粘着テープまたはラベルに加えて、ホット・メルトなどの形態の粘着剤を用いることも、ここでは提案されている。
【００１２】
さらに粘着剤をウェブの表側に塗布するだけでなく、粘着剤を空スプールの周囲表面に塗布することも提案されている。これは、粘着剤を供給するさらに可能な方法であるが、方法の信頼性の向上に決定的な影響を与える可能性がある。
【００１３】
一方、最初に述べた特許文献１との違いの１つは、切断設備の配置および選択においてここでは見出される。ここでは、実際には多くの不利な点が伴う機械的な丸刃が不要であり、代わりにウォータ・ジェットが切断媒体として設けられており、これを用いて、巻取りロール上流側および直接巻取りロール上の両方において、ウェブを切断することができる。
【００１４】
ウォータ・ジェットによるウェブの切断を、ウェブがすでに巻取りロールの一部上にガイドされて支持される点で行なうことに、プロセス上の理由から限定する必要は全くない。しかしウォータ・ジェット切断設備を巻取りロールの上流側に配置することは、前述の特許文献１に、特に第５欄第３２行にすでに開示されているので、このように限定することはそれでも理解され得る。加えて、この方法の主な不利な点は、引き裂き強度の高い紙ウェブの移送には全く適していないことであると考えられる。
【００１５】
移送ストリップの切断についての他の考えが、特許文献４に開示されている。前述の２つの特許文献１および特許文献２とは反対に、別個のストリップ分割装置がニップ下流側に配置されているが、ウェブの表側には配置されていない。横断ストリップの切断を、たとえばウェブおよび空スプールに向けたエア・ジェットによって行なうことを、多くのウェブにおいて比較的信頼性良く構成することができる。しかしこれを実施するためには、巻取りロールとフル・ロールとの間の接触を、少なくとも短い間、取りやめなければならない。これは、連続巻取りプロセスにおいて決定的に不利であるということを示す。ほとんどの場合、この目的のためには特定の巻取り方法が必要であり、特に代替ニップを形成する中央駆動装置および要素を含む方法である。この種の方法および設備はたとえば、２つの特許文献５および特許文献６、特許文献７、ならびに特許文献８に開示されている。しかしこれらは、より大きな投資および運転コストを必要とする。加えて、それらの動作メカニズムによってウェブ表面に損傷を招く可能性がある。
【００１６】
これらの方法のさらに不利な点は、ウェブ開始部分が空スプールにかなり偶発的に移送されることである。エア・ジェットによるブローイングが開示されているが、実際にはこの場合には、新しいコアへのウェブ開始部分のセルフ・スレッディングとして知られるものが信用される。実際には、この方法は条件付きでのみ使用できる。たとえば秤量または剛性が高いウェブ（板紙など）をこのように移送することは全くできない。加えて、ウェブ開始部分と空スプールとの間に接続がないために、巻取り開始部分がきれいであるということは全く保証できない。
【００１７】
さらに特許文献９においても、移動紙ウェブを新しいコアへ移送するための設備が開示されている。この場合、紙ウェブのエッジ領域において、長さがウェブ幅の倍数の高強度の分割テープを、ニップ内に直接、その開始部分が新しいコアに接続されるように導入することができる。その後、分割テープを新しいコア上にらせん状に巻き、同時にウェブ全体を引き裂いて新しいコアへ移送する。
【００１８】
この方法は、数十年間知られていて特に製紙業において一般的であり、絶えず改善されて長い間に渡ってさらなる開発がなされているが、今までのところ、その主な不利点は解消できていない。これは、スプールの交換後に、コア表面に残っている分割テープ（プロセス上の理由から厚みを任意に小さくできない）が、常にウェブ内に圧力点を形成するために、相当量の損紙がロールのコア領域に生成されて、製造プロセス全体の効率に対して非常に有害な影響を与えるということにある。この方法のさらなるシステム誘起の不利な点は、分割テープをニップ内に直接導入しなくてはいけない必要があるということであると考えられる。これは、ニップの位置を実質的に変えることができないということを示す。さらに、ウェブを引き裂くために用いる分割テープは、作業員に対する障害および致死の大きな危険を示し、単に潜在的なものではない。加えて、使い捨て製品として使用された分割テープを環境に適するように廃棄するという問題は、ますます重要性を増している。
【００１９】
移動ウェブを移送するさらなる方法および設備が、他の種々の刊行物から知られているが、それらはすべて、多かれ少なかれ厳しい不利な点がある。
【００２０】
たとえば特許文献１０に開示される方法では、基本的に、ウェブ開始部分が巻取りロールの上流側で横断切断装置によってすでに完全に形成されるために、移送ストリップがまったく存在しない。
【００２１】
これと比べると、横断切断装置をニップの下流側に配置することで、同じ様に移送ストリップの形成が不必要なはるかに信頼性の良い方法が得られる。しかしこの方法は、特許文献１１に開示されているが、代替ニップを形成する中央駆動装置および要素が設けられた巻取り機に対してのみ使用できる。
【００２２】
さらに特許文献１２に開示される方法では、移送ストリップが形成されるが、先行するウェブへの移送ストリップの接続は、ニップ上流側ですでに完全に破壊される。しかし、特許文献１０の場合と同様に、ここでも、「どこにも接合されていない」ウェブ開始部分を、どのようにしてニップまで運んで新しいコアに確実に案内できるかについての問題が起きている。
【特許文献１】ドイツ公開特許明細書ＤＥ４２０８７４６Ａ１
【特許文献２】米国特許第４，４４５，６４６Ａ明細書
【特許文献３】国際公開ＰＣＴ明細書ＷＯ９７／４８６３２Ａ１
【特許文献４】欧州特許出願ＥＰ０５４３７８８Ａ１
【特許文献５】欧州特許ＥＰ０４８３０９２Ｂ１
【特許文献６】ＥＰ０７８８９９１Ｂ１
【特許文献７】ＰＣＴ国際公開特許明細書ＷＯ９８／５２８５８Ａ１
【特許文献８】ドイツ公開特許明細書ＤＥ１９８０７８９７Ａ１
【特許文献９】米国特許出願第５，９５４，２９０Ａ号明細書
【特許文献１０】米国特許出願第４，４４４，３６２Ａ号明細書
【特許文献１１】欧州特許出願ＥＰ０９９７４１７Ａ１
【特許文献１２】ドイツ特許ＤＥ３５１５５１９Ｃ２
【発明の開示】
【発明が解決しようとする課題】
【００２３】
したがって本発明の目的は、最初に述べたタイプの方法および巻取り機、すなわち高いプロセス安全性、プロセス効率、ならびに有益な投資およびプロセス・コストで移動ウェブを新しいコアへ最適に移送することが可能であるとともに、知られている従来技術の不利な点が完全に回避される方法および巻取り機を提供することである。さらに本方法は可能な限り、知られているすべてのタイプの巻取り機および種々のウェブに対して、同じ程度に適用することができるものである。
【課題を解決するための手段】
【００２４】
本発明の第１の態様によれば、この目的は、少なくとも１つの初期切断ピースを、ウェブと巻取りロールとの間に導入することを、導入される初期切断ピースの領域がウェブによって覆われないように行ない、巻取りロールと新しいコアとによって形成されるニップに到達した後に、初期切断ピースを、新しいコアに少なくとも一時的に、覆われない領域において接続し、遅くともウェブが新しいコアを離れる点において、少なくとも初期切断ピースによるウェブの切断を行ないおよび／または可能にし、その結果、初期切断ピースと新しいコアとに接合された新しいウェブ開始部分を形成する方法において達成される。
【００２５】
少なくとも１つの初期切断ピースを、ウェブと巻取りロールとの間に特定的に導入し、ピースを、ニップに到達した後に、新しいコアに、ウェブによって覆われない領域において接続し、初期切断ピースによるウェブの規定された切断によって、初期切断ピースと新しいコアとに接合された新しいウェブ開始部分を形成する結果、知られている従来技術の不利な点は完全に回避される。
【００２６】
特に、接続された新しいウェブ開始部分の規定された安全な形成により、完全にきれいな巻取り開始部分が保証される結果、巻取り構造を最適にして損紙の量を低く抑えるための最も重要な前提条件が構成される。同時に、本方法に含まれる方法ステップは少数のみであるために、移動ウェブを移送する際の最も高い再現性したがって付随する信頼性が実現され、極めて有益な投資および方法コストが得られる。
【００２７】
本発明による本方法の特定の改善では、少なくとも１つの初期切断ピースを、ウェブの少なくとも１つのエッジ領域に導入する。導入した個々の初期切断ピースの領域をウェブによって覆わず、初期切断ピースを、ニップに到達した後に、新しいコアに、少なくともウェブが新しいコアを離れる点において接続し、ウェブを、個々の初期切断ピースによって実質的に完全に切断し、その結果、初期切断ピースと新しいコアとに接合された新しいウェブ開始部分が、初期切断ピースによって形成される。新しいコアに移送されるウェブ開始部分の幅は好ましくは、切断装置によって、ウェブ全体が新しいコアに移送されるように拡げる。
【００２８】
この改善によって、ウェブの移送時間を短くすることができ、その結果、プロセス中に必然的に蓄積する損紙の量が減る。巻取り開始部分に対称性が設けられているために、一般には望まれない円錐状の巻取り構造も回避される。さらにここでは、２つのウェブ開始部分を時間を合わせて形成して、第１の新しいウェブ開始部分の形成によるウェブ移送が成功しなかった場合にのみ、接続された第２の新しいウェブ開始部分を形成するように構成することもできる。
【００２９】
しかし本発明のさらなる実施形態では、本発明による少なくとも１つの初期切断ピースを、新しいコアに移送すべきウェブの任意の所要領域に導入することもできる。したがって初期切断ピースを導入することは、少なくとも１つのエッジ領域に限定されるわけではない。たとえばさらなる領域をウェブ中央に配置することができ、ウェブを好ましくは前もって適切に処理しておくことが必要である。
【００３０】
本発明の第１の態様によれば、本目的は、少なくとも１つの初期切断ピースをウェブと巻取りロールとの間に導入するための少なくとも１つの供給装置が、初期切断ピースをウェブと巻取りロールとの間に実質的に直接または間接的に導入できるように配置される巻取り機において達成される。この場合、本発明による方法に対してすでに示した利点が実現される。
【００３１】
特に巻取り機の本発明による特定の改善では、ウェブの少なくとも１つのエッジ領域に少なくとも１つの供給装置が存在し、この装置によって、少なくとも１つの初期切断ピースをウェブと巻取りロールとの間に導入することができ、初期切断ピースを、ニップに到達した後で、新しい巻取りコアに、ウェブによって覆われない領域において接続することができ、材料ウェブを初期切断ピースによって切断することができ、その結果、初期切断ピースと新しいコアとに接合された新しいウェブ開始部分が形成され、また個々の新しいウェブ開始部分の幅は切断装置によって、ウェブ全体を新しいコアに移送できるように変えられることが提案される。
【００３２】
この変形は、特に比較的広いまたは厚いウェブ、たとえば板紙ウェブの場合に有利である。こうして、一般には望まれない円錐状ロールが形成される傾向が最小になる。個々の切断装置および供給装置を、ウェブを移送するために互いに独立に用いることもできる。そのため巻取り機のこの改善によって、システム誘起の代理機能性が得られ、またこれに起因して最適なプロセス安全性が得られる。
【００３３】
しかし本発明による少なくとも１つの供給装置を、少なくとも１つの初期切断ピースをウェブと巻取りロールとの間に導入するために配置することは、ウェブの少なくとも１つのエッジ領域に限定されるわけではない。しかし本発明のさらなる実施形態では、供給装置を、新しいコアに移送すべきウェブの任意の所要領域に導入することもできる。したがって初期切断ピースを導入することは、少なくとも１つのエッジ領域に限定されるわけではない。たとえばさらなる領域をウェブ中央に配置することができ、ウェブを好ましくは前もって適切に処理しておくことが必要である。
【００３４】
本発明の第２の態様によれば、前述した目的は、少なくとも１つの開口部、特にスリットまたは導入範囲を、ウェブの領域に好ましくは第１の切断装置によって形成し、導入範囲の領域において、少なくとも１つの初期切断ピースをウェブと巻取りロールとの間に導入することを、導入される初期切断ピースの領域がウェブによって覆われないように行ない、巻取りロールと新しいコアとによって形成されるニップに到達した後に、初期切断ピースを新しいコアに少なくとも一時的に、覆われていない領域において接続し、遅くともウェブが新しいコアを離れる点において、初期切断ピースによるウェブの切断を行ないおよび／または可能にし、その結果、初期切断ピースと新しいコアとに接合された少なくとも２つの新しいウェブ開始部分を形成する方法において達成される。
【００３５】
少なくとも１つの開口部、特にスリットまたは導入範囲を、ウェブの領域に好ましくは第１の切断装置によって形成すること、および少なくとも１つの初期切断ピースを、ウェブと巻取りロールとの間に特定的に導入し、ピースを、ニップに到達した後に、新しいコアに、ウェブによって覆われない領域において接続し、初期切断ピースによるウェブの規定された切断によって、初期切断ピースと新しいコアとに接合された少なくとも２つの新しいウェブ開始部分を形成することの両方によって、知られている従来技術の不利な点は完全に回避される。
【００３６】
特に少なくとも２つの接続された新しいウェブ開始部分の規定された安全な形成により、完全にきれいな巻取り開始部分が保証される結果、巻取り構造を最適にして損紙を少量にするための最も重要な前提条件の１つが構成される。同時に、方法に含まれる方法ステップは少数のみであるために、移動ウェブを移送するときの最も高い再現性したがって付随する信頼性が実現され、極めて有益な投資および方法コストが得られる。
【００３７】
本発明による本方法の第１の改善では、ウェブの領域での導入範囲を、好ましくは第１の切断装置によって、少なくとも１つの除去ストリップを形成することによって形成する。このような導入範囲を形成することは特に、領域が広くなるために初期切断ピースを新しいコアへより良好かつ安全に移送できるという技術的な利点が得られる。
【００３８】
本方法によるさらなる改善では、導入範囲をウェブの中央に形成すること、および／または少なくとも１つの導入範囲を、２つのエッジ領域の間に位置するウェブの中央領域に形成すること、および／またはなくとも１つの導入範囲、好ましくは２つの導入範囲を、ウェブの２つのエッジ領域に形成することが、提案される。少なくとも１つの導入範囲を形成することは、基本的に個々の用途に依存する。しかし個々の構成はそれぞれ、特定の利点、たとえば「曲がりくねったニンジン」として知られるものを回避することなど、に関連している。
【００３９】
好ましくは、少なくとも１つの除去ストリップ（ストリップ幅が、１０ｍｍ〜２５０ｍｍ、特に２５ｍｍ〜１００ｍｍの範囲）を、実際に試され試験された切断要素などの第１の切断装置によって形成する。この場合もやはり、ストリップ幅は個々の用途に依存する。
【００４０】
本方法の走行性とプロセス安全性との両方に関して、有益であるのは、除去ストリップを、その形成直後に、０．０１ｂａｒ〜０．２ｂａｒ、好ましくは０．０５ｂａｒ〜０．１ｂａｒの真空度を有する少なくとも１つの除去装置によって除去する場合である。その結果、初期切断ピースの導入に対する有害な影響が生じる可能性はもはやなく、または初期切断ピースの導入を回避することさえ可能である。
【００４１】
本方法のさらなる実施形態では、遅くとも巻取りロールと新しいコアとによって形成されるニップに到達したときに、初期切断ピースと新しいコアとの間の少なくとも一時的な十分強い接続を初期切断ピースによって形成する手段が、ウェブによって覆われない領域に設けられた初期切断ピースを用いる。この手段を用いて、たとえば、新しいコアに対する粘着接続、加硫接続、タッチ・アンド・クローズ接続、吸引スタッド接続、形状フィッティング接続、摩擦フィッティング接続、もしくは溶接接続、または磁気的もしくは静電的な接続を形成する。これらすべての手段に共通する因子は、それらが良好な費用・便益比を特徴とし、さらに平均を上回るプロセス安全性も示すことである。
【００４２】
さらに、ウェブと初期切断ピースとの間、または新しいウェブ開始部分と初期切断ピースとの間の少なくとも一時的な接続を形成するために、ウェブによって覆われる領域に少なくとも１つの粘着領域を有する初期切断ピースを用いる。
【００４３】
直径の著しい増加が全く起きないように、初期切断ピースとしては、厚みが０．５ｍｍ〜０．０５ｍｍの範囲、好ましくは０．２５ｍｍ〜０．１ｍｍの範囲のものを用いることが好ましい。この厚みであれば、初期切断ピースによってウェブに印が形成されることは全くない。
【００４４】
さらに初期切断ピースとしては、プラスチック、金属、織物材料、または繊維状材料、特に紙、または少なくとも１種の材料組み合わせからなる成形品として形成されるものを用いる。このような成形品であれば、移動ウェブを新しいコアに移送することに対して有害な影響を及ぼすことは全くなく、初期切断ピースの取り扱いが実質的に容易になる。
【００４５】
加えて初期切断ピースは、キャリアの容易に脱着可能な部分として形成できることが好ましい。
【００４６】
その代わりに、ウェブと巻取りロールとの間に導入する前に、初期切断ピースを、少なくとも１つのキャリアに、比較的容易に脱着可能な接続部を用いて取り付ける。少なくとも１つのキャリアは、ニップを離れた後に、新しいウェブ開始部分とも新しいコアとも一緒に運ばれないことが理想的である。
【００４７】
２つの新しいウェブ開始部分を好ましくは規定された仕方で形成できるように、初期切断ピースに、ウェブを打ち抜き、切断し、穿孔し、またはエンボスする手段を設け、この手段によって、遅くともウェブが新しいコアを離れる点において、このような方法でウェブを弱めまたは切断さえする。
【００４８】
本発明のさらなる実施形態では、初期切断ピースを、ウェブと巻取りロールとの間に、供給装置を用いて実質的に直接導入する。
【００４９】
ここで、巻取りロールの周囲にウェブが巻き付いていない場合に、初期切断ピースをニップ内に、少なくとも１つの供給装置を用いて実質的に直接導入するか、または初期切断ピースを、ウェブと巻取りロールとの間に、少なくとも１つの供給装置を用いて間接的に導入するか、または初期切断ピースを、最初にウェブの下側に当てて、次にウェブと巻取りロールとの間にウェブによって導入する。または接続が一時的である場合には、初期切断ピースを、最初に巻取りロールの周囲表面に当てて、次にウェブと巻取りロールとの間に巻取りロールによって導入する。一時的な接続は、少なくとも１つの粘着領域によって、静電気力によって、磁力によって、巻取りロールに真空を付与することによって、タッチ・アンド・クローズ留め具によって、または少なくとも１つの吸引スタッド結合によって形成する。
【００５０】
前述したこれらの導入場所および可能性はすべて、移動ウェブを新しいコアへ最も迅速かつ安全なプロセスで移送することを目的としている。
【００５１】
有利な方法では、新しいコアに移送されるウェブ開始部分の幅を、第２の切断装置によって、ウェブ全体が新しいコアに移送されるように拡げる。この場合、第２の切断装置をウェブに対して、ウェブにほぼ平行な平面内で、好ましくは少なくともウェブの走行方向に実質的に垂直に移動させて、斜めの切断線が形成されるようにする。これらの構成によって、移動ウェブを新しいコアへ移送する時間が短くなり、その結果、必然的に蓄積する損紙の量が減る。対称性を巻取り開始部分に設けることによって、一般には望まれない円錐状の巻取り構造も回避される。
【００５２】
移動ウェブを新しいコアへ迅速かつプロセス安全に移送することに関して、遅くともウェブが新しいコアを離れる点において、ウェブの少なくとも一部を、初期切断ピースにより実質的に完全に切断する。この場合、好ましくは、遅くともウェブが新しいコアを離れる点において、ウェブの少なくとも一部を、初期切断ピースによって予め規定される切断外形に沿って実質的に完全に切断する。
【００５３】
本発明の第２の態様によれば、本目的は、少なくとも１つの開口部、特にスリットまたは導入範囲を形成するための第１の切断装置が、ウェブの領域に配置され、少なくとも１つの初期切断ピースをウェブと巻取りロールとの間に導入するための少なくとも１つの供給装置が、初期切断ピースをウェブと巻取りロールとの間に実質的に直接または間接的に導入できるように配置される巻取り機において達成される。
【００５４】
この場合、本発明による方法に対してすでに示した利点が実現される。
【００５５】
本発明のさらなる改善では、供給装置の配置が、初期切断ピースを最初にウェブの下側に当てて、次にウェブと巻取りロールとの間にウェブによって導入できるように、または接続が一時的である場合に、初期切断ピースを最初に巻取りロールの周囲表面に当てて、次にウェブと巻取りロールとの間に巻取りロールによって導入できるように、行なわれる。これらの構成によって、巻取り機を、考えられるすべての用途に対して、高いプロセス安全性および良好な費用・便益比で適応させることができる。
【００５６】
有利な実施形態では、初期切断ピースが、少なくとも１つの粘着領域を、ウェブによって覆われる領域におよびウェブによって覆われない領域にも有する。こうすることによって、初期切断ピースが、ウェブと新しいコアの周囲表面との両方と理想的な接続を行なうことができる。
【００５７】
ウェブによって覆われる領域では、初期切断ピースが、少なくとも１つの切断外形を有し、切断外形は好ましくは、ウェブの走行方向にも、走行方向と直角な方向にも形成されていない。この切断外形は、実際の切断動作にとって有利であり、したがって移動ウェブを新しいコアへ移送することのプロセス安全性が高まる。
【００５８】
さらに、初期切断ピースは理想的には、厚みが０．５ｍｍ〜０．０５ｍｍの範囲、好ましくは０．２５ｍｍ〜０．１ｍｍの範囲にあり、プラスチック、金属、織物材料、引き裂き耐性のある繊維状材料、特に紙、または少なくとも１種の材料組み合わせからなる成形品として形成され、キャリアの一部として形成され、および／またはウェブと巻取りロールとの間に導入される前に、少なくとも１つのキャリアに、比較的容易に脱着可能な接続部を用いて取り付けられる。また初期切断ピースの前述したこれらの考えられる特性も、実際の切断動作にとっては有利であり、したがって移動ウェブを新しいコアへ移送することのプロセス安全性が高まる。
【００５９】
本発明によれば、第１および／または第２の切断装置の配置は、巻取りロールの領域に、および／またはウェブの走行方向での巻取りロール上流側において自由走行経路の領域に、および／またはウェブの走行方向での巻取りロール上流側に載置される少なくとも１つのロールにウェブが接触する領域に、行なわれる。さらに第１および／または第２の切断装置が、ウェブの表側および／または裏側に配置され、またそれらは、好ましくは共通のコンポーネントを有する共通のサブアセンブリ内に配置される。
【００６０】
加えて、第１および第２の切断装置の配置に関する改善によって、巻取り機を、考えられるすべての用途に対して、高いプロセス安全性および良好な費用・便益比で適応させることができる。
【００６１】
移動ウェブを新しいコアへ移送する時間が短いことに関して、第２の切断装置を、ウェブ開始部分の構成部分ではない分離すべきウェブ領域に配置する。
【００６２】
一般に、設置される切断装置は、少なくとも２つの、好ましくは互いに独立した、それぞれ高出力密度の個々のジェットまたはビームを有する切断要素、特にウォータ・ジェットまたはレーザ・ビーム切断要素である。この種の切断要素は、実際上の多くの観点からすでに何度も試され試験されている。
【００６３】
プロセスの技術的観点からすると、初期切断ピースは、ウェブを切断しおよび／または新しいコアへ移送するための、ウェブの走行方向で見たときの最後の装置および／または最後の要素を形成する。
【００６４】
本発明の第３の態様によれば、本目的は、少なくとも１つの初期切断ピースを、少なくとも１つの移送ストリップと巻取りロールとの間に、少なくとも１つの供給装置によって直接または間接的に導入することを、導入される初期切断ピースの領域が移送ストリップによって覆われないように行ない、巻取りロールと新しいコアとによって形成されるニップに到達した後に、初期切断ピースを新しいコアに少なくとも一時的に、覆われていない領域において接続し、遅くともウェブが新しいコアを離れる点において、少なくとも初期切断ピースによる移送ストリップの切断を行ないおよび／または可能にし、その結果、初期切断ピースと新しいコアとに接合された新しいウェブ開始部分を形成する方法において達成される。
【００６５】
少なくとも１つの初期切断ピースを少なくとも１つの移送ストリップと巻取りロールとの間に特定的に導入し、ピースを、ニップに到達した後に、新しいコアに、ウェブの移送ストリップによって覆われない領域において接続し、初期切断ピースによる移送ストリップの規定された切断によって、初期切断ピースと新しいコアとに接合された新しいウェブ開始部分を形成する結果、知られている従来技術の不利な点は完全に回避される。
【００６６】
特に、接続された新しいウェブ開始部分の規定された安全な形成により、完全にきれいな巻取り開始部分が保証される結果、巻取り構造を最適にして損紙の量を低く抑えるための最も重要な前提条件の１つが構成される。同時に、本方法に含まれる方法ステップは少数のみであるために、移動ウェブを移送する際の最も高い再現性したがって付随する信頼性が実現され、極めて有益な投資および方法コストが得られる。
【００６７】
本発明による本方法の特定の改善では、本発明によって、ウェブの両エッジ領域において、各場合において、移送ストリップを、ウェブの走行方向でのニップ上流側に配置された従来技術から知られる少なくとも１つの切断装置、好ましくは横断切断装置によって形成し、各移送ストリップに対して、初期切断ピースを移送ストリップと巻取りロールとの間に、各場合において供給装置によって直接または間接的に導入することを、個々に導入される初期切断ピースの領域が、移送ストリップによって覆われないように行ない、ニップに到達した後に、初期切断ピースを新しいコアに接続し、遅くともウェブが新しいコアを離れる点において、移送ストリップを個々の初期切断ピースによって実質的に完全に切断し、その結果、各初期切断ピースに対して、初期切断ピースと新しい巻取りコアとに接合された新しいウェブ開始部分が形成され、新しいコアに個々に移送されるウェブ開始部分の幅を、ウェブ全体が新しいコアに移送されるように、切断装置によって拡げることが提供される。
【００６８】
この改善によって、ウェブの移送時間を短くすることができ、その結果、プロセス中に必然的に蓄積する損紙の量が減る。巻取り開始部分に対称性が設けられているために、一般には望まれない円錐状の巻取り構造も回避される。さらにここでは、２つのウェブ開始部分を時間を合わせて形成して、たとえば、第１の新しいウェブ開始部分の形成によるウェブ移送が成功しなかった場合にのみ、接続された第２の新しいウェブ開始部分を形成するように構成することもできる。
【００６９】
本方法の第３の態様によれば、本目的は、少なくとも１つの初期切断ピースを、少なくとも１つの移送ストリップと巻取りロールとの間に、少なくとも１つの供給装置によって導入することができ、個々の初期切断ピースを、ニップに到達した後に、新しいコアに、移送ストリップによって覆われていないコア領域において接続し、個々の移送ストリップを初期切断ピースにより切断して、初期切断ピースと新しいコアとに接合された新しいウェブ開始部分を形成することができ、少なくとも１つのウェブ開始部分の幅を、ウェブ全体を新しいコアに移送できるように、切断装置を用いて変えることができる巻取り機において達成される。
【００７０】
この場合、本発明による方法に対してすでに示した利点が実現される。
【００７１】
本発明による巻取り機の特定の改善では、本発明によって、ウェブの両エッジ領域において、各場合において、移送ストリップを、ウェブの走行方向でのニップ上流側に配置された少なくとも１つの切断装置、好ましくは横断切断装置によって形成し、両移送ストリップに対して、各場合において、少なくとも１つの初期切断ピースを個々の移送ストリップと巻取りロールとの間に導入することができる供給装置が存在し、個々の初期切断ピースを、ニップに到達した後に、新しいコアに、移送ストリップによって覆われていないコア領域において接続し、個々の移送ストリップを初期切断ピースにより切断して、初期切断ピースと新しいコアとに接合された新しいウェブ開始部分を形成することができ、個々の新しいウェブ開始部分の幅を、ウェブ全体を新しい巻取りコアに移送できるように、切断装置を用いて変えられることが提案される。
【００７２】
２つの移送ストリップを有するこの変形は特に、比較的広いかまたは厚いウェブ、たとえば板紙ウェブの場合に有利である。こうして、一般には望まれない円錐状ロールが形成される傾向が最小になる。個々の切断装置および供給装置を、ウェブを移送するために互いに独立に用いることもできる。そのため巻取り機のこの改善において、システム誘起の代理機能性が得られ、またこれに起因して最適なプロセス安全性が得られる。
【００７３】
言うまでもなく、本発明のすでに述べた特徴および以下で述べる特徴は、個々に特定された組み合わせだけでなく他の組み合わせまたはそれら自体においても、本発明の範囲から逸脱することなく用いることができる。ここで、特に本発明の種々の態様の所要のどんな組み合わせも可能である。
【００７４】
本発明のさらなる特徴および利点が、従属請求項から、および図面を参照した好ましい典型的な実施形態の説明から、特に図２〜１４を用いて説明される本発明の第１および第３の態様の典型的な実施形態の説明から、特に図１５を用いて説明される本発明の第１の態様のさらなる典型的な実施形態の説明から、および特に図１６〜２３を用いて説明される本発明の第２の態様の典型的な実施形態の説明から、明らかになる。
【発明を実施するための最良の形態】
【００７５】
以下の説明の中で用いる用語のいくつかについて、以下のように定義する。
【００７６】
切断装置とは、少なくともウェブを切断または弱めることができる少なくとも１つの切断要素を有する装置である。
【００７７】
横断切断装置とは、少なくともウェブを切断または弱めることができる少なくとも１つの切断要素を有し、その位置を、ウェブの走行方向を横切るように見たときに、変えることができる装置である。
【００７８】
ニップとは、巻取りロールが巻リールまたは新しいコアに影響を及ぼすことができる巻取りロールの領域である。
【００７９】
巻取りロールと新しいコアとの間のニップも、これらが初期切断ピースと新しいコアとの間の接続形成に適したギャップを形成する場合に、本発明の意味において与えられる。
【００８０】
最初の回転とは、初期切断ピースと新しいコアとの間に結合部が形成された後の新しいコアの最初の完全な回転である。
【００８１】
図１に、従来技術による巻取り機１ａの概略的な斜視図を示す。このタイプの巻取り機は、たとえばＰＣＴ国際公開ＷＯ９８／５２８５８Ａ１（≡ＥＰ０９１２４３５Ａ１；米国特許第６，１２９，３０５Ａ号明細書）、または前述の明細書ＥＰ０５４３７８８Ａ１、ＤＥ３５１５５１９Ｃ２、もしくは米国特許第４，４４５，６４６Ａ号明細書から十分に良く知られている。なおこれらの明細書の内容は、本明細書において本説明の主題を形成している。
【００８２】
巻取り機１ａは、特に、巻取り機ロール２ａを備える。これは、圧力ドラムまたはキャリア・ドラムとも呼ばれる。ウェブ３ａは、カレンダ（図示せず）、抄紙機または板紙抄紙機の仕上げ機械または乾燥部の最終グループ（同様に図示せず）、から案内された後、通常は、ガイドまたはスプレッダ・ロール（同様に図示せず）に巻き付き、その後、矢印Ｌの方向に走行して巻取りロール２ａの周囲表面４ａ上に至り、巻取りロール２ａの周囲表面４ａに一定の角度（「巻き付き角度」）だけ巻き付いて、巻取りロール２ａと巻リール５ａとの間に存在するニップＮ１ａまで行き、最終的に巻リール５ａ上に巻き取られる。巻リール５ａが所定の半径ＤＷａに達したら、新しいコア６ａ（空スプール）が、駆動装置（図示せず）によって前方に加速されて、巻取りロール２ａと接触させられ、ニップＮ２ａを形成する。そして、巻取りロール２ａの上流または巻取りロール２ａ上で、通常少なくとも１つの切れ目７ａが、移動ウェブ３ａ内の少なくとも１つのエッジ領域８ａ内に、少なくとも１つの既知の切断装置９ａによって形成される。これは、少なくとも１つの移送ストリップ１０ａが形成されることを意味する。ウェブ３ａ全体を新しいコア６ａに移送するために、移送ストリップ１０ａを切断して新しいコア６ａに移送する。
【００８３】
このように移動ウェブを移送し少なくとも１つの移送ストリップを形成する方法については、多くの変形が、特に最初に述べた明細書から知られている。しかしこれらの変形はどれも、巻取りロールに面するウェブ側に少なくとも１つの要素を導入して移送ストリップを切断しおよび移送ストリップを新しいコア上に案内する、ということはしていない。
【００８４】
図２〜５に、本発明の第１の実施形態による巻取り機１ａ、ｃの概略的な斜視図を示す。構成は、図１の巻取り機１ａの制御技術に基本的に対応する制御技術とともに示されており、図１を参照されたい。
【００８５】
本発明によれば、図２に示すように、少なくとも１つの初期切断ピース１１ａ、ｃを、好ましくは移送ストリップ１０ａ、ｃの形状のウェブ３ａ、ｃと巻取りロール２ａ、ｃとの間に導入することを、導入される初期切断ピース１１ａ、ｃの領域１１．２ａ、ｃが、ウェブ３ａ、ｃ（好ましくはウェブ３ａ、ｃの移送ストリップ１０ａ、ｃ）によって覆われないように行なう。好ましくは移送ストリップ１０ａ、ｃで覆われる領域を、参照符号１１．３ａ、ｃで示す。
【００８６】
本方法をさらに進めると、巻取りロール２ａ、ｃと新しいコア６ａ、ｃとによって形成されるニップＮ２ａ、ｃに、初期切断ピース１１ａ、ｃが到達する。ニップでは、初期切断ピース１１ａ、ｃが新しいコア６ａ、ｃに、その領域１１．２ａ、ｃで接続される。なお接続のタイプとしては、タッチ・アンド・クローズ接続、形状フィッティング接続、溶接接続、または他の接続が、粘着接続以外に使用可能である。
【００８７】
すでに説明したように、少なくとも１つの移送ストリップ１０ａ、ｃをウェブ３ａ、ｃ内に形成していることができる。本発明によれば、この移送ストリップ１０ａ、ｃを形成することは、好ましくは少なくとも１つの切断装置９ａ、ｃによって作製されるが、本発明による方法を実施する上で絶対に必要であるというわけではない。このことは、以後の図の説明にも当てはまる。
【００８８】
図３に、このタイプの接続を構成する可能性が、初期切断ピース１１ａ、ｃの領域１１．２ａ、ｃに限定されず、接続のタイプに応じて新しいコア６ａ、ｃ上に最適に構成することもできることを示す。この例として、プラスチック接合された永久磁石が取り付けられた周囲表面１４ａ、ｃを考えることができる。これは、磁力による接続をする場合には必要である。
【００８９】
ニップＮ２ａ、ｃの領域（図２〜５に示した例では、ウェブ３ａ、ｃが離れる点Ｑａ、ｃと等しい（図１２〜１４））の場合と同様に、移送ストリップ１０ａ、ｃが、新しいコア６ａ、ｃと初期切断ピース１１ａ、ｃとの間に挟まれて、初期切断ピース１１ａ、ｃによって切断される結果、「新しいウェブ開始部分」が形成される。なお用語「新しいウェブ開始部分」は、実質的に完全に切断されて新しいコアと初期切断ピース１１ａ、ｃとに接合される移送ストリップ１０ａ、ｃを示す。
【００９０】
図４に、最初の回転中に新しいコア６ａ、ｃに規定された仕方で移送される新しいウェブ開始部分を、明瞭に示す。さらに図４では、移送されるウェブ開始部分の幅が切断装置９ａ、ｃによって拡げられる様子を示す。
【００９１】
図５に、本方法の先に進んだ状態を示す。ここでは、移動ウェブ３ａ、ｃが、切断装置９ａ、ｃによって実質的に完全に切断されて、対応する程度まで新しいコア６ａ、ｃに移送されている。
【００９２】
図６に、巻取り機１ａ、ｃの本発明による一実施形態を、概略的な側面図で示す。
【００９３】
本発明によって、移送ストリップ１０ａ、ｃと巻取りロール２ａ、ｃとの間に初期切断ピース１１ａ、ｃを導入することが、供給装置１２ａ、ｃ、１２．１ａ、ｃ、または１２．２ａ、ｃの１つによって直接または間接的な方法で、実施される。供給装置は、たとえば複数または個々のシートをフィードするプロッタまたはプリンタの紙マガジンの形状および機能を有している。
【００９４】
好ましい実施形態では、供給装置１２ａ、ｃ（単に指示しただけに過ぎない）を、初期切断ピース１１ａ、ｃが移送ストリップ１０ａ、ｃと巻取りロール２ａ、ｃとの間に実質的に直接導入されるように、配置する。この配置の有利な特徴は、供給装置１２ａ、ｃおよび初期切断ピース１１ａ、ｃの簡単な構成に加えて、初期切断ピース１１ａ、ｃを導入できるスピードであり、ウェブのスピードよりも何倍も小さくすることができる。さらに、初期切断ピース１１ａ、ｃを特別にガイドすることを全く不要にすることができる。と言うのは、初期切断ピース１１ａ、ｃは、ニップＮ２ａ、ｃに近づく途中で、移送ストリップ１０ａ、ｃと巻取りロール２ａ、ｃとによって適切にガイドされるからである。
【００９５】
これに対する代替案として、供給装置１２．１ａ、ｃの配置を、初期切断ピース１１ａ、ｃが最初に移送ストリップ１０ａ、ｃまたはウェブ３ａ、ｃの下側に当てられて、次に移送ストリップ１０ａ、ｃと巻取りロール２ａ、ｃとの間に、ウェブ３ａ、ｃおよび／または移送ストリップ１０ａ、ｃによって導入されるように、行なうことができる。特にスペースが限られている場合には、この変形によって、初期切断ピース１１ａ、ｃを導入するためのかなり可能性のある方法が得られる。また供給装置１２．２ａ、ｃを、接続が一時的である場合に、初期切断ピース１１ａ、ｃが最初に巻取りロール２ａ、ｃの周囲表面４ａ、ｃに当てられ、次に移送ストリップ１０ａ、ｃと巻取りロール２ａ、ｃとの間に巻取りロール２ａ、ｃによって導入されるように、配置することもできる。一時的な接続はたとえば、粘着接続「ポスト・イット」の形態で、または真空巻取りロール（ドイツ公開特許明細書ＤＥ１９８２２０５２Ａ１に開示される）の場合に真空によって、実施することができる。加えて、知られているケーブル・プーリの場合に従来から行なわれているように、好適な供給装置を巻取りロール２ａ、ｃの延長部分に設けることもできる。これらの変形はそれぞれ、ウェブ３ａ、ｃのガイド、その特性、および巻取り機に特有の特徴に応じて、有利であると考えられる。
【００９６】
従来技術により、切断装置９ａ、ｃを、ウェブ３ａ、ｃの上側または下側に、ニップＮ２ａ、ｃの上流にて配置することができる。また切断装置９ａ、ｃは、少なくとも１つの切断要素、好ましくは高出力強度のジェットまたはビームを有する切断要素、特にウォータ・ジェットまたはレーザ・ビーム切断要素を有することができる。切断装置９ａ、ｃの好ましい配置として特有のものが存在するわけではないので、図６から明らかに分るように、結果として、供給装置１２ａ、ｃ、１２．１ａ、ｃ、１２．２ａ、ｃおよび切断装置９ａ、ｃと、巻取り機１ａ、ｃとの配置において、非常に多くの組み合わせが可能である。
【００９７】
図７に、本発明の一実施形態による巻取り機１ａ、ｃの概略的な平面図を示す。
【００９８】
初期切断ピース１１ａ、ｃが、移送ストリップ１０ａ、ｃと巻取りロール２ａ、ｃとの間に、供給装置によって直接導入されているか間接的に導入されているかにかかわらず、初期切断ピース１１ａ、ｃの一部の領域１１．２ａ、ｃは、移送ストリップ１０ａ、ｃによって覆われないことが意図されている。この領域は、初期切断ピース１１ａ、ｃと新しいコア６ａ、ｃとを接続する上で重要であるが、移送ストリップ１０ａ、ｃによって覆われる初期切断ピース１１ａ、ｃの領域１１．３ａ、ｃは主に、新しいウェブ開始部分を形成する移送ストリップ１０ａ、ｃを切断するために用いられる。こうするために、初期切断ピース１１ａ、ｃに、少なくとも１つの好適な切断手段および／または切断外形１３ａ、ｃ、１３．１ａ、ｃを設けることができる。
【００９９】
図８に、本発明のさらなる実施形態による巻取り機１ａ、ｃの概略的な斜視図を示す。
【０１００】
本発明では、２つの切れ目７ａ、ｃ、７．１ａ、ｃが材料ウェブ３ａ、ｃの両方のエッジ領域８ａ、ｃ、８．１ａ、ｃに、既知の切断装置９ａ、ｃ、９．１ａ、ｃ（特に横断切断装置）によって形成される。その結果、２つの移送ストリップ１０ａ、ｃ、１０．１ａ、ｃが形成される。各移送ストリップに対して、初期切断ピース１１ａ、ｃ、１１．１ａ、ｃを、移送ストリップ１０ａ、ｃ、１０．１ａ、ｃと巻取りロール２ａ、ｃとの間に、それぞれの場合に供給装置（図示せず）によって直接または間接的に導入することが、それぞれ導入される初期切断ピース１１ａ、ｃの領域１１．２ａ、ｃが、ウェブ３ａ、ｃの移送ストリップ１０ａ、ｃ、１０．１ａ、ｃ、によって覆われないように行なわれる。初期切断ピース１１ａ、ｃ、１１．１ａ、ｃは、ニップＮ２ａ、ｃに到達した後で新しいコア６ａ、ｃに接続され、遅くともウェブ３ａ、ｃが新しいコア６ａ、ｃを離れる点Ｑａ、ｃにおいて、移送ストリップ１０ａ、ｃ、１０．１ａ、ｃが個々の初期切断ピース１１ａ、ｃ、１１．１ａ、ｃによって切断される。その結果、各初期切断ピースに対して、初期切断ピースと新しいコア６ａ、ｃとに接合される新しいウェブ開始部分が形成される。新しいコア６ａ、ｃにそれぞれ移送される新しいウェブ開始部分の幅は、切断装置９ａ、ｃ、９．１ａ、ｃにより既知の仕方で、ウェブ３ａ、ｃ全体が新しいコアに移送されるように拡げられる。
【０１０１】
図９に、本発明による初期切断ピース１１ａ、ｃの典型的な実施形態を示す。
【０１０２】
基本的に、初期切断ピース１１ａ、ｃ（厚さを参照符号Ｄａで示す）は、プラスチック、金属、織物材料、または繊維状材料からなる成形品として形成される。初期切断ピース１１ａ、ｃと新しいコアとの間に接続部を形成することは、重要な方法ステップに属するため、このように接続するための初期切断ピース１１ａ、ｃに、手段１５ａ、ｃを設ける。この手段は、初期切断ピース１１ａ、ｃの一部分、複数部分、または全てに渡っても良い。粘着剤の場合にのみ、このような接続を形成することができる利用可能な手段の範囲は、実質的に無制限である。コアを再使用する観点からすれば、特に、除去可能な粘着剤（バイエルスドルフ（Ｂｅｉｅｒｓｄｏｒｆ）社からのテサ・パワーストリップ（Ｔｅｓａ  Ｐｏｗｅｒｓｔｒｉｐ）と同様のもの）を用いたときに、非常に良い結果が得られる。ホット・メルトは、周囲温度で中性粘着特性を有し、特定の温度に達した後でのみ接続部を形成できるようになるのだが、これを使用することも非常に興味深い。その理由は、初期切断ピースの取り扱いおよび供給装置への供給が自動化されるという観点だけからではない。たとえば、ホット・メルトを用いて特別に作られた初期切断ピースを、保管カートリッジから実際の供給装置へ簡単かつ確実に供給することが、市販のプリンタの個々のシート・フィードに似た方法で可能であり、また所要の粘着特性を後に、熱を与えることで活性化することができる。こうして、好適な反応性のホット・メルトが与えられれば、少なくとも最初の回転の間存在する一時的でしかない接続を、初期切断ピースと新しいコアとの間に形成することもできる。カプセル化された粘着剤（特定の圧力をかけることによってのみ活性化する）を用いることによって、同等の利点を実現することができる。好適なタイプの接続をすべて列挙してその利点を詳細に説明することは、本発明にとってはそれほど重大なことではなく、本明細書の状況を超えるに違いない。したがって、次のことを一般的に指摘しておくだけにする。すなわちこの接続を、形状フィッティング接続（特にタッチ・アンド・クローズ接続）として、溶接接続（特に熱溶接接続）として、または磁気接続として構成することによっても、初期切断ピースを新しいコアに接続すること、および初期切断ピースがその任務を果たすことが可能になる。
【０１０３】
初期切断ピースの目的は、特に移送ストリップを切断することにあり、また多数のウェブにおいて、切断外形１３ａ、ｃとして形成されるエッジによって実行することができる。初期切断ピース１１ａ、ｃと新しいコアとに接合された新しいウェブ開始部分を形成することは、新しいコアと初期切断ピース１１ａ、ｃとの間に挟まれた移送ストリップを、切断外形１３ａ、ｃに沿って引き裂く結果、初期切断ピース１１ａ、ｃによって実質的に完全に切断することで可能になる。引き裂くことを進めて結果として確実なものにするために、適切なエッジを、ウェブの引き裂き動作に合った角度で形成することができる。本方法によって、新しいウェブ開始部分は、新しいコアと初期切断ピース１１ａ、ｃとの間に挟まれるために、初期切断ピース１１ａ、ｃにすでに接合される。初期切断ピース１１ａ、ｃへの新しいウェブ開始部分の接続を改善するために、初期切断ピース１１ａ、ｃにさらに、たとえば粘着領域１７ａ、ｃを設けることができる。粘着領域１７ａ、ｃを用いることでも、初期切断ピースを移送ストリップと巻取りロールとの間に、供給装置によって間接的に導入することができる。その背面においても同様に、初期切断ピース１１ａ、ｃに、初期切断ピースを移送ストリップと巻取りロールとの間に供給装置によって間接的に導入したときに初期切断ピースと巻取りロールとの間の一時的な接続を形成する好適な手段（図示せず）を、設けることができる。さらに図９では、移送ストリップによって覆われない領域１１．２ａ、ｃと、移送ストリップによって覆われ初期切断ピース１１に属する領域１１．３も示す。これは、他の図と明白に関連するように意図されている。
【０１０４】
図１０に、本発明による初期切断ピース１１ａ、ｃのさらなる実施形態を示す。
【０１０５】
既知の従来技術の不利な点の多くが、初期切断ピース１１ａ、ｃを極めて薄い材料から形成することによって、回避される。本発明によれば、初期切断ピース１１ａ、ｃを、移送ストリップ（図示せず）と巻取りロール（図示せず）との間に導入する前に、少なくとも１つのキャリア１６ａ、ｃに、比較的容易な脱着可能な接続部によって貼り付ける。キャリア１６ａ、ｃは、初期切断ピース１１ａ、ｃと新しいコアとに接合される新しいウェブ開始部分が形成された後は、新しいコアと一緒に運ばれることはない。初期切断ピース１１ａ、ｃを複合体として形成する利点は、その物理的および機械的特性が実質的に無制限に構成自由であることにある。たとえば材料厚みＤａを、それに接続される初期切断ピースの剛性に関係なく小さくすることができる。その理由は、プロセス上の理由から必要となる剛性は、キャリア１６ａ、ｃによって獲得することができるからである。さらに初期切断ピース１１ａ、ｃを移送ストリップと巻取りロールとの間に供給装置によって導入することが、自動的かつ完全に確実に行なうことができるように、キャリア１６ａ、ｃを形成することができる。
【０１０６】
図１１に、初期切断ピース１１ａ、ｃを複合体として形成するさらなる利点を示す。
【０１０７】
用途によっては、特に、高い引き裂き強度(tearing  intensity)を有するウェブを移送する場合には、本発明によって、初期切断ピース１１ａ、ｃを、移送ストリップの切断手段１３．１ａ、ｃを用いて構成することができる。この手段を用いることで、新しいウェブ開始部分が、打ち抜き、切断、加圧、もしくはエンボスによってまたはそれらの組み合わせによって、ニップ内に及ぶ力の助けを借りて、またはニップの上流に付加的に配置される少なくとも１つの補助装置（図示せず）を用いて、形成される。明確な融点の性質を有するウェブ３ａ、ｃ（プラスチック・ウェブ）を移送する際には、切断手段１３．１ａ、ｃとして電気抵抗ワイヤを用いて構成された初期切断ピース１１ａ、ｃによって、移送ストリップを切断するための熱を加えることもできる。熱生成に必要なエネルギーは、たとえば誘導性の手段によって、好ましくはニップのすぐ上流側で、既知の装置（図示せず）を用いて、非接触で送ることができる。図１１ではさらに、初期切断ピースとキャリア１６ａ、ｃとの間の比較的容易に脱着可能な接続部の引き離しを、たとえば初期切断ピース１１ａ、ｃと新しいコアとに接合される新しいウェブ開始部分が形成された途端に行なうことができ、その結果、意図的にキャリア１６ａ、ｃが新しいコアと一緒に運ばれないようにしていることを示している。
【０１０８】
図１２〜１４では、ウェブ３ａ、ｃが新しいコア６ａ、ｃを離れる点Ｑａと、巻取りロール２ａ、ｃと新しいコア６ａ、ｃとの間に形成されるニップＮ２ａ、ｃとの間の主な違いを、明瞭に示しているだけでなく、ニップＮ２ａ、ｃの上流でのウェブ３ａ、ｃの前進用ガイドによる本方法への基本的な影響が全くないために、実際に設置される全てのタイプの巻取り機に対して本方法を広く使用できるということも、明瞭に示している。
【０１０９】
図１２に、ウェブ３ａ、ｃが新しいコア６ａ、ｃ上に案内されている巻取り機１ａ、ｃの概略的な側面図を示す。これは、たとえばウェブ３ａ、ｃの破損に続いて散発的に起こる状態におけるものである。通常は、その後に巻リールを巻取り機１ａ、ｃから取り外して、ウェブ３ａ、ｃを回収容器（図示せず）に送る。新しいコア６ａ、ｃの周囲にウェブ３ａ、ｃが巻き付いていないため、ウェブ３ａ、ｃが新しいコア６ａ、ｃを離れる点Ｑａは、巻取りロール２ａ、ｃと新しいコア６ａ、ｃとの間に形成されるニップＮ２ａ、ｃと同一である。
【０１１０】
図１３に、リール交換中にウェブ３ａ、ｃが新しいコア６ａ、ｃ上に案内されているときの巻取り機１ａ、ｃの概略的な側面図を示す。巻取りロール２ａ、ｃとともにニップＮ１ａ、ｃを形成する巻リール５ａ、ｃが、所定の半径に達したときに、ウェブ３ａ、ｃが新しいコア６ａ、ｃ上に、製造プロセスを中断することなく案内される。この配置では、ウェブ３ａ、ｃは新しいコア６ａ、ｃの周囲に巻き付いておらず、離れる点ＱａはニップＮ２ａ、ｃと同一である。
【０１１１】
図１４では、リール交換中にウェブ３ａ、ｃが新しいコア６ａ、ｃ上に案内されているときの代替的なデザインの巻取り機１ａ、ｃの概略的な斜視図を示す。同図では、新しいコア６ａ、ｃの周囲にウェブ３ａ、ｃが巻き付いているため、ウェブ３ａ、ｃが新しいコア６ａ、ｃを離れる点Ｑａは、巻取りロール２ａ、ｃと新しいコア６ａ、ｃとの間に形成されるニップＮ２ａ、ｃとは同一でない。
【０１１２】
図１５には、本発明のさらなる実施形態による巻取り機の概略的な斜視図を示す。この巻取り機１ａの構成は、制御技術とともに、基本的に図１の巻取り機１ａのそれに対応しており、図１を参照されたい。
【０１１３】
本発明によれば、初期切断ピース１１ａ、ｃが、新しいコア６ａ、ｃに移送されるウェブ３ａ、ｃの任意の所要の領域に導入される。ここでは、走行方向Ｌで見たときに、ストリップ１０．２ａがウェブ３ａから、巻取りロール２ａの上流で、概略的にのみ示す切断装置９ａによって切り取られる。このストリップ１０．２ａは形成された後、好ましくは、図示しない装置（抽出装置など）によって除去される。除去されたストリップ１０．２ａの領域で、少なくとも１つの初期切断ピース１１ａ、ｃが、少なくとも１つの供給装置１２ａによって、前述した仕方で導入される。以後の方法の順序は、すでに包括的に説明してあるので、そちらを参照されたい。
【０１１４】
図１６〜１８に、本発明のさらなる実施形態による巻取り機１ｂの概略的な斜視図を示す。その構成は、制御技術とともに、基本的に図１の巻取り機１ａのそれに対応しており、図１を参照されたい。ウェブ３ｂを透明な状態で示しており、そのためその下にある構成要素およびサブアセンブリが見えるようになっている。
【０１１５】
本発明では、図１６に示すように、少なくとも１つの開口部１７ｂ、特にスリットまたは導入範囲１７．１ｂが、好ましくはウェブ３ｂの中央Ｍｂに、好ましくは第１の切断装置９．１ｂによって形成される。導入範囲１７ｂの領域において、少なくとも１つの初期切断ピース１１ｂを、ウェブ３ｂと巻取りロール２ｂとの間に導入することが、導入される初期切断ピース１１ｂの領域１１．１ｂがウェブ３ｂによって覆われないように行なわれる。初期切断ピース１１ｂは、巻取りロール２ｂと新しいコア６ｂとによって形成されるニップＮ２ｂに到達した後で、新しいコア６ｂに少なくとも一時的に、覆われない領域１１．１ｂにおいて接続される。遅くともウェブ３ｂが新しいコア６ｂを離れる点Ｑｂにおいて、初期切断ピース１１ｂによるウェブ３ｂの切断が行なわれおよび／または可能になる。その結果、初期切断ピース１１ｂと新しいコア６ｂとに接合された少なくとも２つの新しいウェブ開始部分が形成される。
【０１１６】
少なくとも１つの導入範囲１７．１ｂは好ましくは、第１の切断装置９．１ｂを用いて少なくとも１つの除去ストリップ１８ｂを形成することによって形成される。
【０１１７】
さらなる改善点では、図示しないが、導入範囲１７．１ｂを、２つのエッジ領域８．１ｂの間に位置するウェブ３ｂの中央領域に形成することもできる。加えて、少なくとも１つの導入範囲１７．１ｂ、好ましくは２つの導入範囲１７．１ｂを、ウェブ３ｂの２つのエッジ領域８．１ｂに形成することができる。これは、ウェブ３ｂの移送を加速することができて有利となることを意味している。
【０１１８】
少なくとも１つの除去ストリップ１８ｂは、ストリップ幅Ｂｓｂが１０ｍｍ〜２５０ｍｍ、特に２５ｍｍ〜１００ｍｍの範囲であり、第１の切断装置９．１ｂによって形成される。そして除去ストリップ１８ｂは、形成直後に、０．０１ｂａｒ〜０．２ｂａｒ、好ましくは０．０５ｂａｒ〜０．１ｂａｒの真空度を有する少なくとも１つの除去装置１９ｂによって除去される。この除去装置１９ｂは、最も簡単な場合には、従来の吸引ホースとしてデザインすることができる。除去装置１９ｂが始動する際、除去ストリップ１８ｂを最初に一度だけ切断するための少なくとも１つの切断装置、好ましくは切断エッジが存在することが有利である。
【０１１９】
本方法をさらに進めると、巻取りロール２ｂと新しいコア６ｂとによって形成されるニップＮ２ｂに、初期切断ピース１１ｂが到達する。ニップでは、初期切断ピース１１ｂが新しいコア６ｂに、初期切断ピース１１ｂの領域１１．１ｂにおいて、少なくとも一時的かつ十分堅固に、次のような手段によって接続される。すなわち、粘着接続、加硫接続、タッチ・アンド・クローズ接続、吸引スタッド接続、形状フィッティング接続、摩擦フィッティング接続、もしくは溶接接続、または磁気的もしくは静電的な接続を、新しいコア６に対して形成するために使用される手段である。
【０１２０】
前述したように、除去ストリップ１８は、第１の切断装置９．１ｂによって形成される。この場合、除去ストリップ１８ｂの切断線９．１１ｂの切断出発点は、並列に形成することもできるし、点状に形成して拡げることもできるし、または交差させて拡げることもできる。切断出発点のこの種の作製は、知られている従来技術に属するため、この時点ではこれ以上説明しない。その代わりに、たとえば前述の欧州特許出願ＥＰ０５４３７８８Ａ１を参照されたい。
【０１２１】
さらに、第１および／または第２の切断装置９．１ｂ、９．２ｂは、好ましくは共通のコンポーネント、特に共通のキャリアを有する共通のサブアセンブリ内に配置される。
【０１２２】
加えて、切れ目の形状の開口部を１つ形成するだけで、初期切断ピースを導入するための十分に大きな範囲を作製する必須条件を得るには十分である。十分に大きな範囲の形成は、たとえば切れ目の中にもぐる要素であってウェブの走行方向に広がる外側外形を有する要素によって、または切断されたウェブをスプレッダ・ロール上にガイドすることによって、行なうことができる。
【０１２３】
図１７において、初期切断ピース１１ｂが、新しいコア６ｂに、その２つの新しいウェブ開始部分とともに移送される様子を、最初の回転において明瞭に示す。
【０１２４】
さらに、第２の切断装置９．２ｂによって、少なくとも２つのさらなる切断線９．２１ｂ（その間隙は初期切断ピースの幅よりも小さいことが好ましい）が形成されることが、明瞭に分かる。切断線９．２１ｂは最初に、互いに平行に走るのが好ましい。
【０１２５】
図１８に、図１７の続きを示す。新しいコア６ｂに移送されるウェブ開始部分の幅が、第２の切断装置９．２ｂによって、ウェブ３ｂ全体が新しいコア６ｂに移送されるように拡げられている。移送ストリップ１９ｂの作製を、好ましくは２つの切断線９．１１ｂを一つにするかまたは第１の切断装置９．１ｂをスイッチ・オフにすることによって、停止する。
【０１２６】
第２の切断装置９．２ｂを好ましくは、ウェブ３ｂに対して、ウェブ３ｂにほぼ平行な平面内で、好ましくは少なくともウェブ３ｂの走行方向Ｌｂに実質的に垂直に移動させて、斜めの切断線９．２１ｂを形成するようにする。次に移動ウェブ３ｂを、第２の切断装置９．２ｂによって実質的に完全に切断して、対応する程度まで新しいコア６ｂに移送する。
【０１２７】
図１９に、本発明による巻取り機１ｂの一実施形態の概略的な側面図を示す。
【０１２８】
本発明により初期切断ピース１１ｂをウェブ３ｂと巻取りロール２ｂとの間に、初期切断ピース１１ｂの領域がウェブ３ｂによって覆われないように導入することが、本発明により、供給装置１２ｂ、１２．１ｂ、または１２．２ｂの１つによって、直接または間接的な仕方で実施される。供給装置１２ｂ、１２．１ｂ、または１２．２ｂは、たとえばマルチ・シートまたは個々のシートをフィードするプロッタまたはプリンタの紙マガジンの形状および機能を有する。
【０１２９】
好ましい実施形態では、供給装置１２ｂ（単に指示しただけに過ぎない）を、初期切断ピース１１ｂがウェブ３ｂと巻取りロール２ｂとの間に実質的に直接導入されるように、配置する。この配置の利点は、供給装置１２ｂおよび初期切断ピース１１ｂの簡単な構成に加えて、初期切断ピース１１ｂを導入できるスピードであり、ウェブのスピードよりも何倍も小さくすることができる。さらに、初期切断ピース１１ｂを特別にガイドすることを全く不要にすることができる。と言うのは、初期切断ピース１１ｂは、ニップＮ２ｂに近づく途中で、ウェブ３ｂと巻取りロール２ｂとによって適切にガイドされるからである。
【０１３０】
これに対する代替案として、供給装置１２．１ｂを、初期切断ピース１１ｂが最初にウェブ３ｂの下側に当てられて、次にウェブ３ｂと巻取りロール２ｂとの間にウェブ３ｂによって導入されるように、配置することができる。特にスペースが限られている場合には、この変形によって、初期切断ピース１１ｂを導入するためのかなり可能性のある方法が得られる。また供給装置１２．２ｂを、接続が一時的である場合に、初期切断ピース１１ｂが最初に巻取りロール２ｂの周囲表面４ｂに当てられ、次にウェブ３ｂと巻取りロール２ｂとの間に巻取りロール２ｂによって導入されるように、配置することもできる。一時的な接続はたとえば、粘着接続「ポスト・イット」の形態で、または真空巻取りロール（ドイツ公開特許明細書ＤＥ１９８２２０５２Ａ１に開示される）の場合に真空によって、実施することができる。加えて、知られているケーブル・プーリにおいて通常そうであるように、好適な供給装置を巻取りロール２ｂの延長部分に設けることもできる。これらの変形はそれぞれ、ウェブ３ｂのガイド、その特性、および巻取り機に特有の特徴に応じて、有利であると考えられる。
【０１３１】
本発明のさらなる改善点では、図示しないが、供給装置をウェブ上方の領域に取り付けることでも、初期切断ピースを、前述したように、ウェブと新しいコアとの間に直接または間接的に導入することができる。この場合、初期切断ピースの外形は同じにすることができるが、その一方で、初期切断ピースとウェブとの間の粘着領域は、特にその粘着効果に関して、特定的に形成しなければならない。
【０１３２】
従来技術により、第１および／または第２の切断装置９．１ｂ、９．２ｂを、ウェブ３ｂの上側または下側に、ニップＮｂの上流にて配置することができる。また切断装置９．１ｂ、９．２ｂは、少なくとも１つの切断要素、好ましくは高出力密度のジェットまたはビームを有する切断要素、特にウォータ・ジェットまたはレーザ・ビーム切断要素を有することができる。
【０１３３】
第１および／または第２の切断装置９．１ｂ、９．２ｂの好ましい配置として特有のものがあるわけではないので、図１９から明らかに分るように、結果として、供給装置１２ｂ、１２．１ｂ、および１２．２ｂならびに第１および／または第２の切断装置９．１ｂ、９．２ｂと、巻取り機１ｂとの配置において、非常に多くの組み合わせが可能である。
【０１３４】
図２０から、本発明による初期切断ピース１１ｂの典型的な実施形態が分かる。
【０１３５】
基本的に、初期切断ピース１１ｂ（厚みＤｂが０．５ｍｍ〜０．０５ｍｍの範囲、好ましくは０．２５ｍｍ〜０．１ｍｍの範囲）は、プラスチック、金属、織物材料、または繊維状材料からなる成形品として形成される。初期切断ピース１１ｂと新しいコアとの間に接続を形成することは、極めて重要な方法ステップに属するため、このように接続するための初期切断ピース１１ｂに、手段１５ｂを設ける。この手段は、初期切断ピース１１ｂの一部分、複数部分、または全てに渡っても良い。粘着剤の場合のみ、このような接続を形成することができる利用可能な手段の範囲は、実質的に無制限である。コアを再使用する観点からすれば、特に、除去可能な粘着剤（バイエルスドルフ社からのテサ・パワーストリップと同様のもの）を用いたときに、非常に良い結果が得られる。ホット・メルトは、周囲温度で中性粘着特性を有し、特定の温度に達した後でのみ接続部を形成できるようになるのだが、これを使用することも非常に興味深い。その理由は、初期切断ピースの取り扱いおよび供給装置への供給が自動化されるという観点だけからではない。たとえば、ホット・メルトを用いて特別に作られた初期切断ピースを、保管カートリッジから実際の供給装置へ簡単かつ確実に供給することが、市販のプリンタの個々のシート・フィードに似た方法で可能であり、また所要の粘着特性を後に、熱を与えることで活性化することができる。こうして、好適な反応性のホット・メルトが与えられれば、少なくとも最初の回転の間存在する一時的でしかない接続を、初期切断ピースと新しいコアとの間に形成することもできる。カプセル化された粘着剤（特定の圧力をかけることによってのみ活性化する）を用いることによって、同等の利点を実現することができる。好適なタイプの接続をすべて列挙してその利点を詳細に説明することは、本発明にとってはそれほど重大なことではなく、本明細書の状況を超えるに違いない。したがって、次のことを一般的に指摘しておくだけにする。すなわちこの接続を、形状フィッティング接続（特にタッチ・アンド・クローズ接続）として、溶接接続（特に熱溶接接続）として、または磁気接続として構成することによっても、初期切断ピースを新しいコアに接続すること、および初期切断ピースがその任務を果たすことが可能になる。
【０１３６】
初期切断ピースの目的は、特に移送ストリップを切断することにあり、また多数のウェブにおいて、切断外形１３ｂとして形成されるエッジによって実行することができる。初期切断ピース１１ｂと新しいコアとに接合された新しいウェブ開始部分を形成することは、新しいコアと初期切断ピース１１ｂとの間に挟まれた移送ストリップを、切断外形１３ｂに沿って引き裂く結果、初期切断ピース１１ｂによって実質的に完全に切断することで可能になる。引き裂くことを進めて結果として確実なものにするために、適切なエッジを、ウェブの引き裂き動作に合った角度で形成することができる。本方法によって、新しいウェブ開始部分は、新しいコアと初期切断ピース１１ｂとの間に挟まれるために、初期切断ピース１１ｂにすでに接合される。初期切断ピース１１ｂへの新しいウェブ開始部分の接続を改善するために、初期切断ピース１１ｂにさらに、たとえば粘着領域１４ｂを設けることができる。粘着領域１４ｂを用いることでも、初期切断ピースを移送ストリップと巻取りロールとの間に、供給装置によって間接的に導入することができる。その背面においても同様に、初期切断ピース１１ｂに、初期切断ピースを移送ストリップと巻取りロールとの間に供給装置によって間接的に導入したときに初期切断ピースと巻取りロールとの間の一時的な接続を形成する好適な手段（図示せず）を、設けることができる。
【０１３７】
既知の従来技術の不利な点の多くが、初期切断ピース１１ｂを極めて薄い材料から形成することによって、回避される。本発明によれば、初期切断ピース１１ｂを、移送ストリップ（図示せず）と巻取りロール（図示せず）との間に導入する前に、少なくとも１つのキャリア１６ｂに、比較的容易な脱着可能な接続部によって貼り付ける。キャリア１６ｂは、初期切断ピース１１ｂと新しいコアとに接合される新しいウェブ開始部分が形成された後は、新しいコアと一緒に運ばれることはない。初期切断ピース１１ｂを複合体として形成する利点は、その物理的および機械的特性が実質的に無制限に構成自由であることにある。たとえば材料厚みを、それに接続される初期切断ピースの剛性に関係なく小さくすることができる。その理由は、プロセス上の理由から必要となる剛性は、キャリア１６ｂによって獲得することができるからである。さらに初期切断ピース１１ｂを移送ストリップと巻取りロールとの間に供給装置によって導入することが、自動的かつ完全に確実に行なうことができるように、キャリア１６ｂを形成することができる。
【０１３８】
さらに、初期切断ピースを、ウェブの切断手段を有する複合体として構成することができる。この手段を用いることにより、新しいウェブ開始部分が、打ち抜き、切断、加圧、もしくはエンボスによってまたはそれらの組み合わせによって、ニップ内に及ぶ力の助けを借りて、またはニップの上流に付加的に配置される少なくとも１つの補助装置（図示せず）を用いて、形成される。明確な融点の性質を有するウェブ（プラスチック・ウェブなど）を移送する際には、切断手段として電気抵抗ワイヤを用いて構成された初期切断ピースによって、ウェブを切断するための熱を加えることもできる。熱生成に必要なエネルギーは、たとえば誘導性の手段によって、好ましくはニップのすぐ上流側で、既知の装置（図示せず）を用いて、非接触で送ることができる。初期切断ピースとキャリアとの間の比較的容易に脱着可能な接続部の引き離しを、たとえば初期切断ピースと新しいコアとに接合される新しいウェブ開始部分が形成された途端に行なうことができ、その結果、意図的にキャリアが新しいコアと一緒に運ばれないようにできる。これらの手段の応用例および構成については、ドイツ特許出願ＤＥ．．．（出願人の２００１年１２月２１日付け）（ファイル参照：ＰＲ１１３６６ＤＥ）を参照されたい。なおこの特許出願の内容は、本明細書において本説明の主題を形成している。
【０１３９】
図２１〜２３では、ウェブ３ｂが新しいコア６ｂを離れる点Ｑｂと、巻取りロール２ｂと新しいコア６ｂとの間に形成されるニップＮ２ｂとの間の基本的な違いを、明瞭に示しているだけでなく、ニップＮ２ｂの上流でのウェブ３の前進用ガイドによる本方法への基本的な影響が全くないために、実際に設置される全てのタイプの巻取り機に対して本方法を広く使用できるということも、明瞭に示している。
【０１４０】
図２１に、ウェブ３ｂが新しいコア６ｂ上に案内されている巻取り機１ａ、ｃの概略的な側面図を示す。これは、たとえばウェブ３ｂの破損に続いて散発的に起こる状態におけるものである。通常は、その後に巻リールを巻取り機１ｂから取り外して、ウェブ３ｂを回収容器（図示せず）に送る。新しいコア６ｂの周囲にウェブ３ｂが巻き付いていないため、ウェブ３ｂが新しいコア６ｂを離れる点Ｑｂは、巻取りロール２ｂと新しいコア６ｂとの間に形成されるニップＮ２ｂと同一である。
【０１４１】
図２２に、リール交換中にウェブ３ｂが新しいコア６ｂ上に案内されているときの巻取り機１ｂの概略的な側面図を示す。巻取りロール２ｂとともにニップＮ１ｂを形成する巻リール５ｂが、所定の半径に達したときに、ウェブ３ｂが新しいコア６ｂ上に、製造プロセスを中断することなく案内される。この配置では、ウェブ３ｂは新しいコア６ｂの周囲に巻き付いておらず、離れる点ＱｂはニップＮ２ｂと同一である。
【０１４２】
図２３では、リール交換中にウェブ３ｂが新しいコア６ｂ上に案内されているときの代替的なデザインの巻取り機１ｂの概略的な斜視図を示す。同図では、新しいコア６ｂの周囲にウェブ３ｂが巻き付いているため、ウェブ３ｂが新しいコア６ｂを離れる点Ｑｂは、巻取りロール２ｂと新しいコア６ｂとの間に形成されるニップＮ２ｂとは同一でない。
【０１４３】
要約すれば、強調しなければならないのは、本発明によって、最初に述べたタイプの方法および巻取り機、すなわち高いプロセス安全性、プロセス効率、ならびに有益な投資および運転コストで移動ウェブを新しいコアへ最適に移送することが可能であるとともに、知られている従来技術の不利な点が完全に回避される方法および巻取り機が提供されることである。さらに本方法は実質的に、知られているすべてのタイプの巻取り機および種々のウェブに対して、同じ程度に適用することができるものである。
【図面の簡単な説明】
【０１４４】
【図１】従来技術による巻取り機を示す概略的な斜視図である。
【図２】本発明の第１の実施形態による巻取り機を示す概略的な斜視図である。
【図３】本発明の第１の実施形態による巻取り機を示す概略的な斜視図である。
【図４】本発明の第１の実施形態による巻取り機を示す概略的な斜視図である。
【図５】本発明の第１の実施形態による巻取り機を示す概略的な斜視図である。
【図６】本発明による巻取り機の一実施形態を示す概略的な側面図である。
【図７】本発明の一実施形態による巻取り機を示す概略的な平面図である
【図８】本発明のさらなる実施形態による巻取り機を示す概略的な斜視図である。
【図９】本発明による初期切断ピースの可能な実施形態の１つを示す概略的な斜視図である。
【図１０】本発明による初期切断ピースの可能な実施形態の１つを示す概略的な斜視図である。
【図１１】本発明による初期切断ピースの可能な実施形態の１つを示す概略的な斜視図である。
【図１２】ウェブが新しいコア上に、たとえば破損の後に案内されているときの巻取り機を示す概略的な側面図である。
【図１３】リール交換中にウェブが新しいコア上に案内されているときの巻取り機を示す概略的な側面図である。
【図１４】リール交換中にウェブが新しいコア上に案内されているときの別の巻取り機を示す概略的な側面図である。
【図１５】本発明のさらなる実施形態による巻取り機を示す概略的な斜視図である。
【図１６】本発明の第２の実施形態による巻取り機を示す概略的な斜視図である。
【図１７】本発明の第２の実施形態による巻取り機を示す概略的な斜視図である。
【図１８】本発明の第２の実施形態による巻取り機を示す概略的な斜視図である。
【図１９】本発明による巻取り機の一実施形態を示す概略的な側面図である。
【図２０】本発明による初期切断ピースの可能な実施形態の１つを示す概略的な斜視図である。
【図２１】ウェブが新しいコア上に、たとえば破損の後に案内されているときの巻取り機を示す概略的な側面図である。
【図２２】ウェブが新しいコア上にリール交換中に案内されているときの巻取り機を示す概略的な側面図である。
【図２３】ウェブが新しいコア上にリール交換中に案内されているときの別の巻取り機を示す概略的な側面図である。
【図１】
2005511453.tif 000003
【図２】
2005511453.tif 000004
【図３】
2005511453.tif 000005
【図４】
2005511453.tif 000006
【図５】
2005511453.tif 000007
【図６】
2005511453.tif 000008
【図７】
2005511453.tif 000009
【図８】
2005511453.tif 000010
【図９】
2005511453.tif 000011
【図１０】
2005511453.tif 000012
【図１１】
2005511453.tif 000013
【図１２】
2005511453.tif 000014
【図１３】
2005511453.tif 000015
【図１４】
2005511453.tif 000016
【図１５】
2005511453.tif 000017
【図１６】
2005511453.tif 000018
【図１７】
2005511453.tif 000019
【図１８】
2005511453.tif 000020
【図２０】
2005511453.tif 000021
【図１９】
2005511453.tif 000022
【図２１】
2005511453.tif 000023
【図２２】
2005511453.tif 000024
【図２３】
2005511453.tif 000025
【国際調査報告】
2005511453.tif 000026
2005511453.tif 000027
2005511453.tif 000028
2005511453.tif 000029
2005511453.tif 000030
2005511453.tif 000031
2005511453.tif 000032
2005511453.tif 000033
2005511453.tif 000034
2005511453.tif 000035
2005511453.tif 000036
2005511453.tif 000037
2005511453.tif 000038